(57)【要約】  モバイル機器に関連付けられる改良された接続と通信を容易にするためにネットワークにおける利用者装置（ＵＥ）能力情報の管理を容易にするシステム、方法、及び装置が説明される。コア・ネットワークは、該モバイル機器のネットワークへの最初の接続期間中に受信されたＵＥ能力情報を制御することが出来る、能力管理コンポーネントを含むことが出来る。ここに、該ＵＥ能力情報はＵＥ動的能力とＵＥ半静的能力含む。該ＵＥ動的能力とＵＥ半静的能力は該受信された能力情報から識別されて、それぞれ、記憶及び管理されることが出来る。最初の接続が解放されるとき、該動的能力情報は削除されるが、他方、該半静的能力情報はコア・ネットワークで保持されることが出来る。該モバイル機器の後続の接続期間中、該記憶された半静的能力は、該後続の接続と通信にとって好ましい動的能力を効率的に選択することを容易にするために、検索および利用されることが出来る。
2010527538.tif 000002
【特許請求の範囲】
【請求項１】
モバイル機器に関連付けられる通信を容易にする方法であって、
受信された能力情報から情報についての1又は複数の事項を、所定の識別基準に少なくとも部分的に基づいて、識別すること、該情報についての1又は複数の事項は該モバイル機器に関連付けられる動的能力情報または半静的能力情報の内少なくとも1つを含む、及び
コア・ネットワークに関連付けられる能力情報の記憶を制御すること
を具備する方法。
【請求項２】
該所定の識別基準は、メッセージ内における能力情報の一事項の位置、又は、能力情報の一事項に関連付けられるタグ情報、の内の少なくとも１つに少なくとも部分的に基づくものである、請求項１の方法。
【請求項３】
該モバイル機器に関連付けられる該能力情報を受信すること、該情報についての1又は複数の事項が該受信された能力情報から識別される、及び
該情報についての1又は複数の事項を記憶すること
を更に具備する、請求項１の方法。
【請求項４】
通信の型、該通信が下り回線中心型なのか又は上り回線中心型なのかどうか、該モバイル機器に関連付けられる動的能力、或いは、該モバイル機器に関連付けられる半静的能力、の内の少なくとも１つに関係する、所定の選択基準に少なくとも部分的に基づいて、該モバイル機器に関連付けられる動的能力情報を選択すること、を更に具備する、請求項３の方法。
【請求項５】
該モバイル機器に関連付けられる接続が解放されるとき、該動的能力情報を削除すること、及び
該モバイル機器に関連付けられる該接続が解放されるとき、該半静的能力情報の記憶を保持すること
を更に具備する、請求項３の方法。
【請求項６】
該モバイル機器に関連付けられる後続の接続期間中に該半静的能力情報を検索すること、及び
該検索された半静的能力情報基地局に転送して、該後続の接続期間中に該モバイル機器によって利用されるべき動的能力の選択を容易にすること
を更に具備する、請求項５の方法。
【請求項７】
該モバイル機器に関連付けられる該接続を解放すること、該接続の該解放は該モバイル機器のアイドル状態への移行を含む、
を更に具備する、請求項５の方法。
【請求項８】
該モバイル機器に関連付けられる能力情報を受信することは、
該モバイル機器に関連付けられる該能力情報を接続要求メッセージの一部として又は該メッセージに関連して受信すること
を更に具備する、請求項３の方法。
【請求項９】
該モバイル機器がオフ状態にある場合該能力情報を削除すること
を更に具備する、請求項１の方法。
【請求項１０】
所定の識別基準に少なくとも部分的に基づいて、モバイル機器に関連付けられる動的能力および半静的能力の識別に関する諸命令を保持するメモリ、及び
該メモリに結合され、該メモリ内に保持された該諸命令を実行するように構成されたプロセッサ
を具備する、無線通信装置。
【請求項１１】
該所定の識別基準は、メッセージ内における能力情報の一事項の位置、又は、能力情報の一事項に関連付けられるタグ情報、の内の少なくとも１つに少なくとも部分的に基づくものである、請求項１０の無線通信装置。
【請求項１２】
該メモリは、モバイル機器に関連付けられる動的能力の、所定の選択基準に少なくとも部分的に基づく、選択に関する諸命令を更に保持する、請求項１０の無線通信装置。
【請求項１３】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに少なくとも部分的に関係する、請求項１２の無線通信装置。
【請求項１４】
該メモリは、該モバイル機器に関連付けられる動的能力および半静的能力の記憶にそれぞれ関係する諸命令を保持する、請求項１０の無線通信装置。
【請求項１５】
モバイル機器に関連付けられる通信を容易にする無線通信装置であって、
所定の識別基準に少なくとも部分的に基づいて、該モバイル機器に関連付けられる動的能力および半静的能力をそれぞれ識別するための手段、及び
該モバイル機器に関連付けられる能力情報の記憶を制御するための手段
を具備する無線通信装置。
【請求項１６】
該所定の識別基準は、メッセージ内における能力情報の一事項の位置、又は、能力情報の一事項に関連付けられるタグ情報、の内の少なくとも１つに少なくとも部分的に基づくものである、請求項１５の無線通信装置。
【請求項１７】
該モバイル機器に関連付けられる能力情報の記憶を制御するための手段は、
該モバイル機器がアイドル・モードに移行するとき、動的能力情報を削除するための手段、及び
該モバイル機器がアイドル・モードに移行するとき、半静的能力情報を保持するための手段
を更に具備する、請求項１５の無線通信装置。
【請求項１８】
所定の選択基準に少なくとも部分的に基づいて、該モバイル機器に関連付けられる動的能力を選択するための手段
を更に具備する、請求項１５の無線通信装置。
【請求項１９】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに少なくとも部分的に関係する、請求項１８の無線通信装置。
【請求項２０】
コンピュータ・プログラム製品であって、
所定の識別基準に少なくとも部分的に基づいて、該モバイル機器に関連付けられる動的能力および半静的能力を識別するための、及び
該モバイル機器に関連付けられる能力情報の記憶を制御するための
コードを具備するコンピュータ可読媒体を具備する、コンピュータ・プログラム製品。
【請求項２１】
該モバイル機器がアイドル・モードに移行するとき、動的能力情報を削除すること、及び
該モバイル機器がアイドル・モードに移行するとき、半静的能力情報を保持すること
を更に具備する、請求項２０のコンピュータ・プログラム製品。
【請求項２２】
該モバイル機器がアクティブ状態に移行して基地局との接続を確立することを要求するとき、該モバイル機器に関連付けられる該半静的能力情報を該基地局に転送すること、を更に具備する、請求項２１のコンピュータ・プログラム製品。
【請求項２３】
該所定の識別基準は、メッセージ内における能力情報の一事項の位置、又は、能力情報の一事項に関連付けられるタグ情報、の内の少なくとも１つに少なくとも部分的に基づくものである、請求項２０のコンピュータ・プログラム製品。
【請求項２４】
無線通信システムにおいて、
所定の識別基準に少なくとも部分的に基づいて、該モバイル機器に関連付けられる動的能力および半静的能力を識別するために、及び
該モバイル機器に関連付けられる能力情報の記憶を管理するために
構成されたプロセッサ、を具備する装置。
【請求項２５】
請求項２４の装置であって、該プロセッサは、
該モバイル機器がアイドル・モードに移行するとき、該モバイル機器に関連付けられる動的能力情報を削除するために、ここに該能力情報は該動的能力情報と半静的能力情報を具備し、該半静的能力情報は記憶装置内に保持される、
該モバイル機器がその後該アイドル・モードからアクティブモードに移行するとき、該モバイル機器に関連付けられる該半静的能力情報を記憶装置から検索するために、及び
該モバイル機器に関連付けられる該半静的能力情報を該モバイル機器に関連付けられる基地局に転送して、該モバイル機器に関連付けられる通信を容易にするための該モバイル機器に関連付けられるある特定の動的能力の選択を容易にするために
更に構成されたプロセッサ。
【請求項２６】
モバイル機器に関連付けられる通信を容易にする方法であって、
所定の選択基準に少なくとも部分的に基づいて該モバイル機器に関連付けられる動的能力を選択すること、及び
該モバイル機器に関連付けられる該動的能力を転送すること
を具備する方法。
【請求項２７】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに少なくとも部分的に基づくものである、請求項２６の方法。
【請求項２８】
該モバイル機器に関連付けられる動的能力を選択することは
該モバイル機器が、通信の型、或いは、該通信が下り回線中心型なのか又は上り回線中心型なのかどうか、の内の少なくとも１つに関する情報を有する場合、該モバイル機器の基地局およびコア・ネットワークへの後続の接続期間中、該モバイル機器に関連付けられる動的能力を選択すること
を更に具備する、請求項２６の方法。
【請求項２９】
該モバイル機器に関連付けられる該動的能力を転送することは、
該モバイル機器が、通信の型、或いは、該通信が下り回線中心型なのか又は上り回線中心型なのかどうか、の内の少なくとも１つに関する情報を有する場合、該モバイル機器の基地局およびコア・ネットワークへの後続の接続期間中、該モバイル機器に関連付けられる該選択された動的能力を転送すること
を更に具備する、請求項２６の方法。
【請求項３０】
無線通信装置であって、
所定の選択基準に少なくとも部分的に基づくモバイル機器に関連付けられる動的能力の選択に関する諸命令を保持するメモリ、及び
該メモリに結合され、該メモリ内に保持された該諸命令を実行するように構成されたプロセッサ
を具備する、無線通信装置。
【請求項３１】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに少なくとも部分的に基づくものである、請求項３０の無線通信装置。
【請求項３２】
該メモリは該モバイル機器に関連付けられる能力情報、該能力情報は動的能力情報または半静的能力情報の内の少なくとも１つを具備する、の転送に関する命令を更に保持する、請求項３０の無線通信装置。
【請求項３３】
モバイル機器に関連付けられる通信を容易にする無線通信装置であって、
所定の選択基準に少なくとも部分的に基づいて該モバイル機器に関連付けられる動的能力を選択するための手段、及び
該モバイル機器に関連付けられる能力情報、該能力情報は、該モバイル機器に関連付けられる、動的能力または半静的能力の内の少なくとも１つに関する情報を具備する、を転送するための手段
を具備する、無線通信装置。
【請求項３４】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに関係する、請求項３３の無線通信装置。
【請求項３５】
該モバイル機器に関連付けられる能力情報を転送するための手段は、
該モバイル機器が、通信の型、該通信が下り回線中心型なのか又は上り回線中心型なのかどうか、の内の少なくとも１つに関する情報を有する場合、該モバイル機器に関連付けられる動的能力を転送するための手段
を更に具備する、請求項３３の無線通信装置。
【請求項３６】
コンピュータ・プログラム製品であって、
所定の選択基準に少なくとも部分的に基づいてモバイル機器に関連付けられる動的能力を選択するための、及び
該モバイル機器に関連付けられる能力情報、該能力情報は、該モバイル機器に関連付けられる、動的能力または半静的能力の内の少なくとも１つに関する情報を具備する、を転送するための
コードを具備するコンピュータ可読媒体、を具備する、コンピュータ・プログラム製品。
【請求項３７】
該モバイル機器が、通信の型、該通信が下り回線中心型なのか又は上り回線中心型なのかどうか、の内の少なくとも１つに関する情報を有する場合、該モバイル機器に関連付けられる動的能力を選択すること、及び
該選択された能力を転送すること
を更に具備する、請求項３６のコンピュータ・プログラム製品。
【請求項３８】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに少なくとも部分的に基づくものである、請求項３６のコンピュータ・プログラム製品。
【請求項３９】
無線通信システムにおいて、
所定の選択基準に少なくとも部分的に基づいてモバイル機器に関連付けられる動的能力を選択するために、及び
該モバイル機器に関連付けられる能力情報を転送するために、
構成されるプロセッサを具備する装置。
【請求項４０】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに少なくとも部分的に基づくものである、請求項３９の装置。
【請求項４１】
モバイル機器に関連付けられる通信を容易にする方法であって、
該モバイル機器に関連付けられる能力情報を受信すること、該能力情報は、該モバイル機器に関連付けられる、動的能力または半静的能力の内の少なくとも１つに関する情報を具備する、及び
所定の選択基準に少なくとも部分的に基づいて該モバイル機器に関連付けられる動的能力を選択すること
を具備する方法。
【請求項４２】
該モバイル機器の基地局およびコア・ネットワークへの後続の接続期間中、コア・ネットワークから少なくとも半静的能力情報を受信して該後続の接続期間中に利用されるべき該動的能力を選択することを容易にすること、該少なくとも半静的能力情報は、該モバイル機器がアクティブ・モード又はアイドル・モードの内少なくとも一方のモードにある間、該コア・ネットワークで記憶される、
を更に具備する、請求項４１の方法。
【請求項４３】
該モバイル機器が、通信の型、或いは、該通信が下り回線中心型なのか又は上り回線中心型なのかどうか、の内の少なくとも１つに関する情報を有する場合、該モバイル機器の基地局およびコア・ネットワークへの後続の接続期間中、該モバイル機器から少なくとも動的能力情報を受信して該後続の接続期間中使用されるべき該動的能力を選択することを容易にすること、
を更に具備する、請求項４１の方法。
【請求項４４】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに関係する、請求項４１の方法。
【請求項４５】
無線通信装置であって、
所定の選択基準に少なくとも部分的に基づいてモバイル機器に関連付けられる動的能力を選択することに関する諸命令を保持するメモリ、及び
該メモリに結合され、該メモリ内に保持された該諸命令を実行するように構成されたプロセッサ
を具備する、無線通信装置。
【請求項４６】
該メモリは、所定の選択基準に少なくとも部分的に基づいてモバイル機器に関連付けられる動的能力に関わる情報を評価することに関する諸命令を更に保持する、請求項４５の無線通信装置。
【請求項４７】
該メモリは、モバイル機器に関連付けられる能力に関わる情報を、該モバイル機器またはコア・ネットワークの内少なくとも一方へ、転送することに関する諸命令を更に保持する、請求項４５の無線通信装置。
【請求項４８】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに関係する、請求項４５の無線通信装置。
【請求項４９】
無線通信環境においてモバイル機器に関連付けられる通信を容易にする無線通信装置であって、
所定の選択基準に少なくとも部分的に基づいて該モバイル機器に関連付けられる動的能力を選択するための手段、及び
該モバイル機器に関連付けられる能力情報を転送するための手段、該能力情報は、該モバイル機器に関連付けられる、動的能力または半静的能力の内の少なくとも一方に関する情報を含む、
を具備する、無線通信装置。
【請求項５０】
該能力情報を受信するための手段、及び
該受信された能力情報を評価して、該動的能力を選択することを容易にするための手段
を更に具備する、請求項４９の無線通信装置。
【請求項５１】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに関係する、請求項４９の無線通信装置。
【請求項５２】
コンピュータ・プログラム製品であって、
所定の選択基準に少なくとも部分的に基づいてモバイル機器に関連付けられる動的能力を選択するための、及び
該モバイル機器に関連付けられる能力情報、該能力情報は該モバイル機器に関連付けられる動的能力または半静的能力の内の少なくとも１つに関する情報を具備する、を転送するための
コードを具備するコンピュータ可読媒体、を具備する、コンピュータ・プログラム製品。
【請求項５３】
該モバイル機器の基地局およびコア・ネットワークへの後続の接続期間中、該コア・ネットワークから少なくとも半静的能力情報を含む能力情報を受信して、該後続の接続期間中該モバイル機器によって利用されるべき該動的能力を選択することを容易にすること
を更に具備する、請求項５２のコンピュータ・プログラム製品。
【請求項５４】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに関係する、請求項５２のコンピュータ・プログラム製品。
【請求項５５】
無線通信システムにおいて、
モバイル機器に関連付けられる能力に関連付けられる情報を評価するために、
所定の選択基準に少なくとも部分的に基づいて該モバイル機器に関連付けられる動的能力を選択するために、及び
該動的能力の選択に関連付けられる少なくとも１つの信号を該モバイル機器に転送するために
構成されるプロセッサ、を具備する装置。
【請求項５６】
該所定の選択基準は、通信の型、該通信が下り回線中心型なのか又は上り回線中心型なのかどうか、該モバイル機器に関連付けられる動的能力、或いは、該モバイル機器に関連付けられる半静的能力、の内の少なくとも１つに関係する、請求項５５の装置。
【発明の詳細な説明】
【技術分野】
【０００１】
［関連出願の相互参照］
本特許出願は、２００７年５月１日に提出された、“ＬＴＥにおける利用者装置（ＵＥ）能力ハンドリング”と題する米国特許仮出願番号第６０／９１５，３８４号に優先権を主張する。前述の仮出願の全内容は参照として本明細書に組み込まれている。
【０００２】
I．分野
下記の記載は一般に無線通信に係わり、特に、無線通信環境において、モバイル機器に関連付けられる能力情報(capability information)（例えば、動的能力(dynamic capability)、半静的能力(semi-static capability)）を管理して、該モバイル機器のネットワークへの効率的な接続と、ネットワーク内における該モバイル機器に関連付けられる通信、を容易にすること、に関する。
【背景技術】
【０００３】
II．背景
無線通信システムは広汎に配備されて種々の形式の通信を提供する。例えば、音声及び／又はデータがこのような無線通信システムを介して提供されることが出来る。一般的な無線通信システム、又はネットワーク、は複数の利用者に一又は複数の共有資源（例えば、帯域幅、送信電力、…）へのアクセスを実現することが出来る。例えば、システムは、周波数分割多重（Frequency Division Multiplexing）（ＦＤＭ）、 時分割多重（Time Division Multiplexing）（ＴＤＭ）、符号分割多重（Code Division Multiplexing）（ＣＤＭ）、第３世代パートナーシップ・プロジェクト（Third Generation Partnership Project）（３ＧＰＰ）ロング・ターム・エボリューション（Long-Term Evolution）（ＬＴＥ）システム、直交周波数分割多重（Orthogonal Frequency Division Multiplexing）（ＯＦＤＭ）、及びその他のような、種々の多元接続技術を利用することが出来る。
【０００４】
一般には、多元接続通信システムは複数のモバイル機器に対する通信を同時にサポートすることが出来る。それぞれのモバイル機器は順方向リンク及び逆方向リンク上の伝送を介して一又は複数の基地局と通信することが出来る。順方向リンク（又は下り回線）は基地局からモバイル機器への通信回線を指し、そして逆方向リンク（又は上り回線）はモバイル機器から基地局への通信回線を指す。この通信回線は単一入力単一出力（single-in-single-out）システム、多重入力単一出力（multiple-in-single-out）システム、又は多重入力多重出力（multiple-in- multiple -out）（ＭＩＭＯ）システムを介して樹立させることが出来る。
【０００５】
例えばＭＩＭＯシステムはデータ伝送に対して複数（ＮＴ個）の送信アンテナと複数（ＮＲ個）の受信アンテナを使用することが出来る。ＮＴ個の送信アンテナとＮＲ個の受信アンテナによって形成されるＭＩＭＯチャネルは、空間チャネルとも呼ばれる、ＮＳ個の独立したチャネルに分解されることが出来る。ここに、ＮＳ≦ｍｉｎ｛ＮＴ，ＮＲ｝である。ＮＳ個の独立したチャネルのそれぞれは１つの次元に対応することが出来る。ＭＩＭＯシステムは、複数の送信および受信アンテナによって創られる追加の次元が利用される場合、改善された性能（例えば、より高いスループット及び／又はより大きな信頼性）をもたらすことが出来る。
【０００６】
ＭＩＭＯシステムは時分割複信（time division duplex）（ＴＤＤ）システム及び周波数分割複信（frequency division duplex）（ＦＤＤ）システムをサポートすることが出来る。ＴＤＤシステムでは、順方向リンク伝送と逆方向リンク伝送は同一周波数領域上にあることが出来て、従って、相反原理が逆方向リンク・チャネルから順方向リンク・チャネルを推定することを可能にする。このことは、接続点において複数アンテナが利用可能な場合、該接続点が順方向リンク上の送信ビームフォーミング利得を抽出することを可能にすることが出来る。
【０００７】
無線通信システムはしばしば、ある交信領域を与える、1又は複数の基地局を利用する。一般的な基地局は、一斉送信サービス、マルチキャスト・サービス及び／又はユニキャスト・サービスのために、複数のデータ・ストリームを送信することが出来る、ここに、データ・ストリームはモバイル機器への独立した受信に関係することが出来るデータのストリームであり得る。このような基地局の交信範囲内のモバイル機器は、該合成ストリームによって搬送される１つの、1を超える、或いは全てのデータ・ストリームを受信するために、利用されることが出来る。同様に、モバイル機器は該基地局または別のモバイル機器にデータを送信することが出来る。
【０００８】
一般的には、基地局は無線通信システムの集中化された部分であることが出来るコア・ネットワークに関連付けられることが出来る。従来、モバイル機器の能力（例えば、データ・レートのサポートされるクラス）は、接続（例えば、アタッチ）が実行される時、基地局とコア・ネットワークにおいて記憶されることが出来る。しかしながら、モバイル機器の能力情報の複数の部分は本質的に動的であることが可能で、該モバイル機器のそのような動的能力情報(dynamic capability information)に関する記憶は、該動的能力情報が最早無効になっている場合には、無駄で不必要であり得る。モバイル機器の能力情報の動的部分と半静的部分を識別することが出来ることが望ましい。又、モバイル機器の能力情報をコア・ネットワークにおいて効率的に記憶および管理することも望ましい。
【発明の概要】
【０００９】
下記は1又は複数の実施形態の簡単な概要を、該実施態様の基礎的理解を提供するために、提示する。本概要は全ての想定される実施形態の広範な総覧ではない、そして、全ての想定される実施形態の中心的または決定的な諸要素を特定するようには意図されておらず、又、何れか又は全ての実施形態の範囲の輪郭を描こうとするものでもない。本概要の唯一の目的は、後に提示される更に詳細な説明への前段として、1又は複数の実施形態のある複数の概念を簡単な形で提示することである。
【００１０】
1又は複数の実施形態とその対応する開示に従って、ネットワーク内の通信機器（例えば、モバイル機器）に関連付けられる効率的な接続と通信を、該通信機器に関連付けられる能力情報を管理することによって、容易にすることに関連して、種々の態様が説明される。
【００１１】
開示された主題の種々の態様に従って、コア・ネットワークはモバイル機器（例えば、ＵＥ）に関連付けられる利用者装置（user equipment）（ＵＥ）の能力情報を制御して、ネットワーク（例えば、基地局およびコア・ネットワーク）へのモバイル機器の効率的接続、及び、ネットワークと該モバイル機器の通信、を容易にすることが出来る。基地局およびコア・ネットワークへのモバイル機器の最初の接続の間に、該コア・ネットワークは該モバイル機器から（例えば、関連基地局を介して）、ＵＥ動的能力情報及びＵＥ半静的情報のような、ＵＥ能力情報を受信し、それぞれ識別し、及び／又は、記憶することが出来る。該ＵＥ能力情報は、接続中の通信のためのＵＥ動的能力（例えば、ＵＥクラス）を選択することを容易にするために、利用されることが出来る。接続が解放されると、例えばモバイル機器がアイドル・モードに移行すると、コア・ネットワークは該ＵＥ動的能力情報を削除または解放することが出来るが、しかし、該モバイル機器に関するＵＥ半静的能力情報を記憶装置内に保持することが出来る。該モバイル機器の該ネットワークへの後続の接続期間中、例えば該モバイル機器がアイドル・モードからアクティブ・モードへ移行する場合、該モバイル機器に関連付けられる該後続の接続と通信の期間中モバイル機器によって利用されるべき、望ましい（例えば、最適な）ＵＥ動的能力を選択することを容易にするために、該ネットワークに記憶されている該モバイル機器に関連付けられるＵＥ半静的能力情報が利用されることが出来る。更に、該後続の接続期間中望ましいＵＥ動的能力の選択を容易にするために、例えば、該モバイル機器が起動された該通信関連サービス（例えば、電話、メッセージ、…）に関する情報を有する場合のように、該モバイル機器はオプションで該ネットワークに好ましいＵＥ動的能力を提供することが出来る。
【００１２】
関連する態様に従って、モバイル機器に関連付けられる通信を容易にする方法が本明細書に記載される。該方法は受信された能力情報から情報についての1又は複数の事項を、所定の識別基準(identification criteria)に少なくとも部分的に基づいて、識別することを含むことが出来る。該情報についての1又は複数の事項は該モバイル機器に関連付けられる動的能力情報または半静的能力情報の内少なくとも1つを含む。更に、該方法はコア・ネットワークに関連付けられる能力情報の記憶を制御することを含むことが出来る。
【００１３】
別の態様は無線通信装置に関する。該無線通信装置は、所定の識別基準に少なくとも部分的に基づいて、該モバイル機器に関連付けられる動的能力および半静的能力について識別することに関する諸命令を保持するメモリを含むことが出来る。更に、該無線通信装置は、該メモリに結合され、該メモリ内に保持された諸命令を実行するように構成された、プロセッサを含むことが出来る。
【００１４】
また別の態様はモバイル機器に関連付けられる通信を容易にする無線通信装置に関する。該無線通信装置は、所定の識別基準に少なくとも部分的に基づいて、該モバイル機器に関連付けられる動的能力および半静的能力をそれぞれ識別するための手段を含むことが出来る。更に、該無線通信装置は該モバイル機器に関連付けられる能力情報の記憶を制御するための手段を含むことが出来る。
【００１５】
更に別の態様は、所定の識別基準に少なくとも部分的に基づいて、モバイル機器に関連付けられる動的能力および半静的能力を識別するための、及び、該モバイル機器に関連付けられる能力情報の記憶を制御するための、コードを具備するコンピュータ可読媒体、を具備するコンピュータ・プログラム製品に関する。
【００１６】
別の態様に従って、無線通信システムにおける装置はプロセッサを含むことが出来る、ここに該プロセッサは、所定の識別基準に少なくとも部分的に基づいて、該モバイル機器に関連付けられる動的能力および半静的能力を識別するように構成されることが出来る。更に、該プロセッサは該モバイル機器に関連付けられる能力情報の記憶を管理するように構成されることが出来る。
【００１７】
他の複数の態様に従って、モバイル機器に関連付けられる通信を容易にする方法が本明細書で説明される。該方法は、所定の選択基準に少なくとも部分的に基づいて、該モバイル機器に関連付けられる動的能力を選択することを含むことが出来る。更に、該方法は該モバイル機器に関連付けられる該動的能力を伝送することを含むことが出来る。
【００１８】
また別の態様は、所定の選択基準に少なくとも部分的に基づいて、該モバイル機器に関連付けられる動的能力および半静的能力について選択することに関する諸命令を保持するメモリを含むことが出来る、無線通信装置に関する。更に、該無線通信装置は、該メモリに結合され、該メモリ内に保持された諸命令を実行するように構成された、プロセッサを含むことが出来る。
【００１９】
別の態様は、モバイル機器に関連付けられる通信を容易にする、無線通信装置に関する。該無線通信装置は、所定の選択基準に少なくとも部分的に基づいて、該モバイル機器に関連付けられる動的能力を選択するための手段を含むことが出来る。更に、該無線通信装置は、該モバイル機器に関連付けられる能力情報を伝送するための手段を含むことが出来て、該能力情報は該モバイル機器に関連付けられる動的能力または半静的能力の内の少なくとも1つに関する情報を含む。
【００２０】
更に別の態様は、所定の選択基準に少なくとも部分的に基づいて、該モバイル機器に関連付けられる動的能力を選択するための、及び、該モバイル機器に関連付けられる能力情報、該能力情報は該モバイル機器に関連付けられる動的能力または半静的能力の内の少なくとも1つに関する情報を含む、を伝送するための、コードを含むコンピュータ可読媒体を具備するコンピュータ・プログラム製品に関する。
【００２１】
別の態様に従って、無線通信システムにおける装置はプロセッサを含むことが出来る、ここに該プロセッサは、所定の選択基準に少なくとも部分的に基づいて、該モバイル機器に関連付けられる動的能力を選択するように構成されることが出来る。更に、該プロセッサは該モバイル機器に関連付けられる能力情報を伝送するように構成されることが出来る。
【００２２】
更に他の複数の態様に従って、モバイル機器に関連付けられる通信を容易にする方法が本明細書で説明される。該方法は、該モバイル機器に関連付けられる能力情報を受信することを含むことが出来て、該能力情報は該モバイル機器に関連付けられる動的能力または半静的能力の内の少なくとも1つに関する情報を含む。更に、該方法は、所定の選択基準に少なくとも部分的に基づいて、該モバイル機器に関連付けられる動的能力を選択することを含むことが出来る。
【００２３】
更に別の態様は、所定の選択基準に少なくとも部分的に基づいて、モバイル機器に関連付けられる動的能力について選択することに関する諸命令を保持するメモリを含むことが出来る、無線通信装置に関する。更に、該無線通信装置は、該メモリに結合され、該メモリ内に保持された諸命令を実行するように構成された、プロセッサを含むことが出来る。
【００２４】
別の態様は、無線通信環境においてモバイル機器に関連付けられる通信を容易にする無線通信装置に関する。該無線通信装置は、所定の選択基準に少なくとも部分的に基づいて、該モバイル機器に関連付けられる動的能力を選択するための手段を含むことが出来る。更に、該無線通信装置は、該モバイル機器に関連付けられる能力情報を伝送するための手段を含むことが出来て、該能力情報は該モバイル機器に関連付けられる動的能力または半静的能力の内の少なくとも1つに関する情報を含む。
【００２５】
更に別の態様は、所定の選択基準に少なくとも部分的に基づいて、モバイル機器に関連付けられる動的能力を選択するための、及び、該モバイル機器に関連付けられる通信を容易にするために、該モバイル機器に関連付けられる能力情報、該能力情報は該モバイル機器に関連付けられる動的能力または半静的能力の内の少なくとも1つに関する情報を含む、を伝送するための、コードを含むコンピュータ可読媒体を具備するコンピュータ・プログラム製品に関する。
【００２６】
別の態様に従って、無線通信システムにおける装置はプロセッサを含むことができて、該プロセッサはモバイル機器に関連付けられる能力に関連付けられる情報を評価するように構成されることが出来る。更に、該プロセッサは、所定の選択基準に少なくとも部分的に基づいて、該モバイル機器に関連付けられる動的能力を選択するように構成されることが出来る。その上、該プロセッサは該動的能力の選択に関連付けられる少なくとも1つの信号を該モバイル機器に伝送するように構成されることが出来る。
【００２７】
前述のそして関連する目的達成のために、1又は複数の実施形態は、下記に十分に説明されそして請求項において特に指摘される、諸特徴を具備する。下記の説明と添付図は該1又は複数の実施形態のある実例となる諸態様を詳細に記載する。しかしながら、これ等の態様は、種々の実施形態の諸原理が利用されることが出来る種々の方法の内わずか数例を示すに過ぎない、そして、該記載される諸実施形態は全てのこのような態様とそれ等の同等物を含むように意図される。
【図面の簡単な説明】
【００２８】
【図１】図１は本明細書に記載される種々の態様に従う無線通信システムの例示図である。
【図２】図２は、開示された主題の一態様に従う、無線通信環境内におけるモバイル機器に関連付けられる通信を容易にすることが出来る、一例示システムの例示図である。
【図３】図３は、無線通信環境におけるモバイル機器に関連付けられる通信を容易にすることが出来る、一例示システムの図である。
【図４】図４は、無線通信環境内におけるモバイル機器に関連付けられる通信を容易にすることが出来る、別の例示システムの例示図である。
【図５】図５は、開示された主題の一態様に従う、無線通信環境におけるモバイル機器に関連付けられる最初の接続立上げ及び接続解放の例示図である。
【図６】図６は、開示された主題の一態様に従う、無線通信環境におけるモバイル機器に関連付けられる後続の接続立上げの図である。
【図７】図７は、無線通信システムにおいてモバイル機器に関連付けられる通信を容易にすることが出来る、一例示方法の例示図である。
【図８】図８は、無線通信システムにおいてモバイル機器に関連付けられる通信を容易にするために、モバイル機器のＵＥ能力情報を制御することを容易にすることが出来る、一例示方法の図である。
【図９】図９は、無線通信システムにおける通信を容易にするために、モバイル機器に関連付けられる接続を確立することを容易にすることが出来る、一例示方法の例示図である。
【図１０】図１０は、開示された主題の一態様に従って無線通信システムにおけるモバイル機器に関連付けられる通信を容易にすることが出来る、一例示モバイル機器の例示図である。
【図１１】図１１は、開示された主題の一態様に従って無線通信システムにおけるモバイル機器に関連付けられる通信を容易にすることが出来る、一例示システムの図である。
【図１２】図１２は、本明細書に記載される種々のシステム及び方法と関連して利用されることが出来る、一例示無線ネットワーク・システムの例示図である。
【図１３】図１３は、無線通信環境におけるモバイル機器に関連付けられる通信を容易にすることが出来る、一例示システムの図である。
【図１４】図１４は、無線通信環境におけるモバイル機器に関連付けられる通信を容易にすることが出来る、別の例示システムの例示図である。
【図１５】図１５は、無線通信環境におけるモバイル機器に関連付けられる通信を容易にすることが出来る、一例示システムの例示図である。
【発明を実施するための形態】
【００２９】
［詳細な説明］
ここに種々の実施形態が図面を参照して説明される。図面では同じ参照番号は全体を通して同じ要素を指すために使用される。下記の説明では、説明目的のために、多くの具体的な詳細が１又は複数の実施形態の完全な理解を提供するために記載される。しかしながら、このような（諸）実施形態はこれ等の具体的な詳細がなくても実行されることが出来ることは明らかであると言える。他の例では、既知の構成と装置が１又は複数の実施形態を説明することを容易にするためにブロック図の形式で示される。
【００３０】
本願で使用されるように、用語“コンポーネント”、“モジュール”、“システム”及び類似の用語は、コンピュータ関連の構成要素、ハードウェア、ファームウェア、ハードウェアとソフトウェアの組合せ、ソフトウェア、或いは実行中のソフトウェア、の何れかを指すように意図される。例えば、コンポーネントはプロセッサ上で走る処理、プロセッサ、オブジェクト、実行ファイル、実行のスレッド、プログラム、及び／又はコンピュータであることが出来るが、これ等に限定されない。説明のために、計算装置上で走るアプリケーションと該計算装置は両者共にコンポーネントであることが出来る。１又は複数のコンポーネントが処理及び／又は実行のスレッド内に常駐出来る、そして、あるコンポーネントは１つのコンピュータ上に局在されることが出来るし及び／又は２以上のコンピュータ間に分散されることも出来る。その上、これ等のコンポーネントは種々のデータ構造をその上に格納させた種々のコンピュータ可読媒体から実行することが出来る。該諸コンポーネントは、例えば１又は複数のデータ・パケットを有する信号に従ってローカル処理及び／又は遠隔処理により通信することが出来る（例えば、１つのコンポーネントからのデータは、ローカル・システム、分散システム内の別のコンポーネントと、及び／又はインターネットのようなネットワークを横断して他のシステムと、該信号によって相互作用する）。
【００３１】
本明細書で説明される技術は、ＣＤＭＡ、ＴＤＭＡ、ＦＤＭＡ、ＯＦＤＭＡ、ＳＣ−ＦＤＭＡ及び他のシステムのような種々の無線通信システムに対して使用されることが出来る。用語“システム”と“ネットワーク”はしばしば交換して使用されることが出来る。ＣＤＭＡシステムは、例えばユニバーサル・テレストリアル・ラジオ・アクセス（Universal Terrestrial Radio Access）（ＵＴＲＡ）、ＣＤＭＡ２０００等々のような、無線技術を実行することが出来る。ＵＴＲＡは広帯域ＣＤＭＡ（Wideband-CDMA）（Ｗ−ＣＤＭＡ）及びその他のＣＤＭＡの変型を含む。ＣＤＭＡ２０００はＩＳ−２０００標準、ＩＳ−９５標準、及び、ＩＳ−８５６標準、を包含する。ＴＤＭＡシステムはグローバル・システム・フォー・モバイル・コミュニケーションズ（Global system for Mobile communications）（ＧＳＭ）のような無線技術を実行することが出来る。ＯＦＤＭＡシステムは、エボルブド（Evolved）ＵＴＲＡ（Ｅ−ＵＴＲＡ）、ウルトラ・モバイル・ブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ（Flash-）ＯＦＤＭＯ、等々を実行することが出来る。ＵＴＲＡとＥ−ＵＴＲＡはユニバーサル・モバイル・テレコミュニケーション・システム（Universal Mobile Telecommunication System）（ＵＭＴＳ）の一部である。３ＧＰＰロング・ターム・エボリューション（ＬＴＥ）はＥ−ＵＴＲＡを使用する近々リリースのＵＭＴＳであって、Ｅ−ＵＴＲＡは下り回線にＯＦＤＭＡを上り回線にＳＣ−ＦＤＭＡを使用する。ＵＴＲＡ、Ｅ−ＵＴＲＡ、ＵＭＴＳ、ＬＴＥ及びＧＳＭは“第３世代パートナーシップ・プロジェクト”（“3rd Generation Partnership Project”）（３ＧＰＰ）と呼ばれる組織からの資料に説明されている。ＣＤＭＡ２０００とＵＭＢは“第３世代パートナーシップ・プロジェクト２”（“3rd Generation Partnership Project 2”）（３ＧＰＰ２）と呼ばれる組織からの資料に説明されている。これ等の種々の無線技術と標準は公知である。
【００３２】
更に、種々の実施形態がモバイル機器に関連して本明細書で説明される。モバイル機器は、又、システム、加入者ユニット、加入者局、移動局、モバイル、遠隔局、遠隔端末、接続端末、利用者端末、端末、無線通信装置、利用者エージェント、利用者機器、又は利用者装置（ＵＥ）、とも呼ばれることが出来る。モバイル機器は、セルラ電話、コードレス電話、シップ（Session Initiation Protocol）（ＳＩＰ）電話、無線ローカル・ループ（wireless local loop）（ＷＬＬ）局、携帯情報端末（Personal Digital Assistant）（ＰＤＡ）、無線接続能力を有するハンドヘルド装置、計算装置、或いは無線モデムに接続される他の処理装置、であることが出来る。その上、種々の実施形態が基地局に関連して本明細書で説明される。基地局は（複数の）モバイル機器と通信するために利用されることが出来て、接続点、ノード（Node）Ｂ（例えば、エボルブド・ノードＢ、ｅＮＢ）、又は何か他の用語で呼ばれることもできる。
【００３３】
更に、本明細書で説明される種々の態様又は特徴は、方法、装置、或いは標準プログラム技術及び／又は工業技術を使用する製造要綱、として実装されることが出来る。本明細書で使用される用語“製造要綱”は任意のコンピュータ可読装置、キャリア、又は媒体から接続可能なコンピュータ・プログラムを含むように意図される。例えば、コンピュータ可読媒体は、磁気記憶装置（例えば、ハード・ディスク、フロッピー（登録商標）・ディスク、磁気テープ、等々）、光学ディスク（例えば、コンパクト・ディスク（ＣＤ）、デジタル多用途ディスク（digital versatile disk）（ＤＶＤ）、等々）、スマート・カード、及びフラッシュ・メモリ装置（例えば、ＥＰＲＯＭ、カード、スティック、キー・ドライブ、等々）を含むことが出来るがこれ等に限定されない。更に、本明細書で説明される種々の記憶媒体は情報を記憶するための１又は複数の装置及び／又は他の機械可読媒体を表すことが出来る。用語“機械可読媒体”は（複数の）命令及び／又はデータを記憶する、保持する、及び／又は、搬送することが出来る無線チャネルと種々の他の媒体を含むことが出来るが、これ等に限定されない。
【００３４】
ここに図１を参照すると、本明細書で提示される種々の実施形態に従って、無線通信システム１００が説明される。システム１００は複数のアンテナ群を含むことが出来る基地局１０２を含む。例えば、１つのアンテナ群はアンテナ１０４と１０６を含むことが出来る、別のアンテナ群はアンテナ１０８と１１０を含むことが出来る、そして更に別の群はアンテナ１１２と１１４を含むことが出来る。それぞれのアンテナ群に対して２つのアンテナが例示されている。しかしながら、もっと多くの又は少ないアンテナが各グループに対して利用されることが出来る。基地局１０２は更に送信機チェーン（chain）と受信機チェーンを含むことが出来て、それ等はそれぞれ今度は、当業者によって理解されるように、信号の送受信に関連付けられる複数のコンポーネント（例えば、プロセッサ、変調器、多重化装置、復調器、逆多重化装置、アンテナ、等々）を具備することが出来る。
【００３５】
基地局１０２は、モバイル機器１１６とモバイル機器１２２のような１又は複数のモバイル機器と通信することが出来る。しかしながら、基地局１０２はモバイル機器１１６と１２２と同様な実質的に任意の数のモバイル機器と通信できることが認識されるべきである。モバイル機器１１６と１２２は、例えば、セルラ電話、スマート・フォン、ラップトップ、ハンドヘルド（handheld）通信装置、ハンドヘルド計算装置、衛星ラジオ、全地球測位システム、ＰＤＡｓ、及び／又は無線通信システム１００を介して通信するためのその他任意の適切な装置、であることが出来る。図示されるように、モバイル機器１１６はアンテナ１１２、１１４と通信している、この場合アンテナ１１２と１１４は順方向リンク１１８（例えば、下り回線（downlink）（ＤＬ））を介してモバイル機器１１６に情報を送信し、そして逆方向リンク１２０（例えば、上り回線（uplink）（ＵＬ））を介してモバイル機器１１６から情報を受信する。更に、モバイル機器１２２はアンテナ１０４、１０６と通信している、この場合アンテナ１０４と１０６は順方向リンク１２４を介してモバイル機器１２２に情報を送信し、そして逆方向リンク１２６を介してモバイル機器１２２から情報を受信する。周波数分割複信（frequency division duplex）（ＦＤＤ）システムでは、例えば、順方向リンク１１８は逆方向リンク１２０によって使用される周波数帯とは異なる周波数帯を利用することが出来、そして、順方向リンク１２４は逆方向リンク１２６によって利用される周波数帯とは異なる周波数帯を利用することが出来る。更に、時分割複信（time division duplex）（ＴＤＤ）システムでは、順方向リンク１１８と逆方向リンク１２０は共通の周波数帯を利用することが出来て、順方向リンク１２４と逆方向リンク１２６は共通の周波数帯を利用することが出来る。
【００３６】
アンテナの各群及び／又はアンテナが通信するために指定されている領域は基地局１０２のセクタと呼ばれることが出来る。例えば、アンテナ群は基地局１０２によってカバーされる諸領域に属するあるセクタ内の諸モバイル機器（例えば、１１６）に通信するように設計されることが出来る。順方向リンク１１８と１２４を介する通信では、基地局１０２の送信アンテナは、モバイル機器１１６と１２２に対する順方向リンク１１８と１２４の信号対雑音比を改良するためにビームフォーミングを利用することが出来る。また、基地局１０２は、関連する交信範囲全体に無秩序に分散させられているモバイル機器１１６と１２２に送信するためにビームフォーミングを利用する一方、隣接セル内の諸モバイル機器は、単一アンテナを介して全てのモバイル機器に送信する基地局と比較して、より少ない干渉を受けることが可能である。
【００３７】
ある態様に従うと、モバイル機器（例えば１１６）はモバイル機器１１６のＵＥ能力情報を基地局１０２に伝送するように設定されることが出来る。基地局１０２はそのようなＵＥ能力情報を（例えば、図２に図示され、本明細書で説明される）コア・ネットワークに転送することが出来る。該ＵＥ能力情報はＵＥ動的能力とＵＥ半静的能力を含むことが出来て、ＵＥ動的能力は、ＵＥクラス（例えば、ＵＬ及びＤＬに対する最高データ・レート）を含み、特定の起動されたサービス（例えば、通信）に対して利用される（又は、モバイル機器１１６によって使用されるように要求される）ことが出来る、そして、ＵＥ半静的能力は、サポートされたＵＥクラス（例えば、サポートされたデータ・レート・クラス）、プロトコル・バージョン、本質的にハード・コード化される他のＵＥ能力（例えば、周波数帯能力、インター無線アクセス技術（inter-Radio-Access-Technology）（ｉｎｔｅｒ−ＲＡＴ）能力、等）等々を含むことが出来る。
【００３８】
例えば、ＵＥ動的能力はＵＬとＤＬ間でモバイル機器１１６の処理電力を分離することに関連することが出来る、この場合ＵＬとＤＬに対する最高データ・レートがＵＥ動的能力として指定されることが出来る。ＵＥ半静的能力に関しては、モバイル機器（例えば、１１６）は、例えば、全体で６０Ｍｂｐｓ分の処理電力のように、決められた能力を有することが出来て、この場合、ＵＬに対して１０ＭｂｐｓそしてＤＬに対して５０Ｍｂｐｓであることが出来る１つのサポートされたＵＥクラスが可能で、別のサポートされたＵＥクラスはＵＬに対して２０ＭｂｐｓそしてＤＬに対して４０Ｍｂｐｓであることが可能であり、そして、必要に応じて他の異なるＵＬデータ・レートとＤＬデータ・レートを持つ他のサポートされたＵＥクラスであることが可能である。ＵＥ半静的能力は、例えば優先順位付与またはロード・バランスのような、種々の目的のために、（例えば、図２に図示され、本明細書で説明される）コア・ネットワークによって利用されることが出来る。別の態様では、モバイル機器（例えば、１１６）は、ＬＴＥ、ＵＭＴＳ、ＧＳＭ。マルチ・モード、マルチＲＡＴ、等々において動作し通信する能力を備えることが可能である。
【００３９】
基地局１０２はモバイル機器１１６からＵＥ能力情報を受信することが出来て、該ＵＥ能力情報を記憶することが出来る。基地局１０２は又該ＵＥ能力情報をコアネットワークに転送することも出来て、この場合、該ＵＥ能力情報は該コアネットワークにおいて記憶されることが出来る。所定の選択基準に少なくとも部分的に基づいて、該コアネットワーク及び／又は基地局１０２はモバイル機器１１６に対するＵＥ動的能力（例えば、ＵＥクラス）を選択することが出来る、そして基地局１０２は該選択されたＵＥ動的能力に関する情報をモバイル機器１１６に転送することが出来る。その結果、モバイル機器１１６は該選択されたＵＥ動的能力を使用してネットワークで通信するように設定されることが出来る。所定の選択基準は、例えば、通信の型（例えば、音声通話、メッセージ伝送、ベスト・エフォート・データ通信、プロトコル・レイヤ・シグナリング、等々）、該通信がＤＬ中心なのか、或いはＵＬ中心なのかどうか、ＵＥ動的能力、ＵＥ半静的能力、及び／又はその他の要因、を含むことが出来る。
【００４０】
例えば、モバイル機器１１６のネットワークへの最初の接続（例えば、アタッチ）の期間、モバイル機器１１６は自身のＵＥ動的能力とＵＥ半静的能力を基地局１０２に伝送することが出来て、該基地局はそのようなＵＥ能力情報を記憶することが出来る。該ＵＥ能力情報は接続要求メッセージの一部として或いはそれに関連して送信されることが出来る。基地局１０２はモバイル機器１１６の該ＵＥ能力情報を、例えば、接続要求メッセージの一部として或いはそれに関連して、コア・ネットワークに転送することが出来て、該コアネットワークは該ＵＥ動的能力情報と該ＵＥ半静的能力情報をそれぞれ識別し且つ記憶することが出来る。コア・ネットワーク及び／又は基地局１０２は、所定の選択基準に少なくとも部分的に基づいて、モバイル機器１１６に関連付けられる通信の期間利用されるべき、ＵＥ動的能力（例えば、ＵＥクラス）を選択することを容易にすることが出来る。コア・ネットワークは、該接続の期間中、モバイル機器１１６のＵＥ半静的能力及び／又はＵＥ動的能力を記憶および保持することが出来る。
【００４１】
従来、ネットワークはモバイル機器のＵＥ動的能力とＵＥ半静的能力を、そのような情報を管理することに関して、識別または区別をしない。モバイル機器がアクティブ・モードからアイドル・モードに移される場合のように、モバイル機器とネットワーク間の接続が解放される場合、ＵＥ能力（例えば、ＵＥ動的能力とＵＥ半静的能力）は該ネットワークによって削除または解放される。結果として、該モバイル機器がアクティブ・モードに移され、そして、該モバイル機器をネットワークに接続するために接続立上げが実行される時と場合、該モバイル機器は、接続確立を容易にするために、該ネットワークにＵＥ動的能力とＵＥ半静的能力を送信しなければならない。
【００４２】
開示された主題の一態様に従えば、モバイル機器１１６に関連付けられる接続が解放された（例えば、モバイル機器１１６がアイドル・モードに移された）後、コア・ネットワークは該モバイル機器１１６の半静的能力の記憶を保持および管理することが出来る。１つの態様では、モバイル機器１１６がアイドル・モード（例えば、ＬＴＥ_ＩＤＬＥ）または待機モードに切り替えられる又は移される場合のような、接続解放に際し、基地局１０２は、モバイル機器１１６に関連付けられるＵＥ動的能力及び／又はＵＥ半静的能力を、削除または解放することが出来る。アイドル・モードにある間、モバイル機器１１６は、例えばある種の更新処理のようなある種の処理に関して、依然として基地局１０２と限定的な通信状態にあることが可能である。別の態様では、接続が解放されると、コア・ネットワークは必要に応じて、モバイル機器１１６のＵＥ動的能力を削除または解放することが出来る、というのはモバイル機器１１６のＵＥ動的能力は該コア・ネットワークによって最早利用されないから及び／又は最早有効ではないからである。結果として、該コア・ネットワークのデータ記憶装置（例えば、メモリ）の、そのようなＵＥ動的能力を格納した、部分は他の使用のために利用可能となり得る。コア・ネットワークはモバイル機器１１６に関連付けられるＵＥ半静的能力を継続して記憶することが出来る。該ＵＥ半静的能力は、モバイル機器１１６に関して接続（例えば、後続の接続）が起動される時と場合、利用されることが出来る。このことは該接続を効率的に確立することを容易にする、というのは、例えば、起動されるサービス（例えば、ページング）に従って、該コア・ネットワークは、該起動されるサービスに関して、より多くの情報を有することが可能であり、そして、該記憶されたＵＥ半静的能力を利用して該通信にとって好ましいＵＥクラスを選択することを容易にすることが出来るからであるが、これに伴って、モバイル機器１１６に再びそのＵＥ半静的能力をコア・ネットワークに提供させるような、モバイル機器の追加のシグナリングを使用する必要はない。
【００４３】
別の態様では、モバイル機器１１６がサービス（例えば、ＵＥ発信の通話）を起動する場合のような、モバイル機器１１６に関する後続の接続の期間中、モバイル機器１１６はオプションで望ましいＵＥ動的能力（例えば、好ましいＵＥクラス）を選択して基地局１０２に提示する（例えば、伝送する）ことが出来て、該基地局は該提示されたＵＥ動的能力を記憶することが出来、そして、該提示されたＵＥ動的能力をコア・ネットワークに転送することが出来る。所定の選択基準に少なくとも部分的に基づいて、該コア・ネットワーク及び／又は基地局１０２は、該提示されたＵＥ動的能力または該記憶された半静的能力から選択される異種のＵＥ動的能力であることが出来る、モバイル機器によって使用されるべきＵＥ動的能力を選択することを容易にすることが出来る。そして、該選択されたＵＥ動的能力に関する情報はモバイル機器１１６に転送されることが出来て、従って、モバイル機器１１６は、該選択されたＵＥ動的能力に少なくとも部分的に基づいて、通信のために設定されることが出来る。
【００４４】
更に別の態様では、モバイル機器１１６がスイッチを切られる、若しくは、該ネットワーク内には最早いない場合、コア・ネットワークは、該コア・ネットワークで記憶されている、モバイル機器１１６のＵＥ半静的能力及び／又はＵＥ動的能力を削除または解放することが出来る。
【００４５】
図２を参照すると、開示された主題の一態様に従う、無線通信環境内におけるモバイル機器に関連付けられた通信を容易にすることが出来る、システム２００が例示される。システム２００は、モバイル機器１１６のような、１又は複数のモバイル機器と通信することができる基地局１０２を含むことが出来る。簡明を期するために、図２では唯１つのモバイル機器が図示されていることが認識され且つ理解されるべきである。更に、基地局１０２は別の（諸）基地局、及び／又は、例えば、認証、認可等々のような諸機能を実行することが出来る、（図示されてない）任意の異種装置（例えば、サーバ）、と通信することが出来る。基地局１０２とモバイル機器１１６は、例えば、システム１００に関して本明細書で更に十分に説明されたような、それぞれ対応するコンポーネントとそれぞれ同様又は類似のものであることが出来る、及び／又は、該それぞれ対応するコンポーネントとそれぞれ同様又は類似の機能性を具備することが出来る。
【００４６】
モバイル機器１１６は基地局１０２と通信的に接続（例えば、無線で接続）されることが出来る。この場合、該接続はデータ・チャネルと制御チャネルを含むことが出来る。データ・チャネルはモバイル機器１１６と基地局１０２との間のデータの伝送に役立つことが出来る、そして、制御チャネルはモバイル機器１１６と基地局１０２との間の制御情報の伝送に役立つことが出来る。１つの態様では、モバイル機器１１６はモバイル機器１１６に関連付けられる、ＵＥ動的能力とＵＥ半静的能力を含む、ＵＥ能力情報を基地局１０２に伝送することが出来て、該ＵＥ能力情報は基地局１０２によって記憶されることが出来る。例えば、モバイル機器のＵＥ能力は、モバイル機器１１６が基地局１０２とコア・ネットワーク２０２に接続されることを要求するための、接続要求メッセージに関連してその一部として基地局１０２に伝送されることが出来る。
【００４７】
別の態様では、基地局１０２は、モバイル機器１１６に関する通信を支援することが出来る、コア・ネットワーク２０２（例えば、エボルブド・パケット・コア（evolved packet core））と通信的に接続（例えば、無線で接続）されることが出来る。基地局１０２はＵＥ能力情報を、例えば接続要求メッセージに関連して又はその一部として、コア・ネットワーク２０２に転送することが出来る。１つの態様では、コア・ネットワーク２０２は、モバイル機器１１６に関する通信を容易にするために、モバイル機器１１６のＵＥ能力のような、情報を管理（例えば、制御）することを容易にすることが出来る、能力管理器２０４を含むことが出来る。コア・ネットワーク２０２は又、受信されたＵＥ能力情報を解析及び／又は評価することが出来て、且つ、所定の識別基準に少なくとも部分的に基づいて、例えば、ＵＥ動的能力情報とＵＥ半静的能力情報のような、ＵＥ能力情報のそれぞれの型を識別することが出来る、能力識別器２０６を含むことが出来る。例えば、能力識別器２０６による異なる型のＵＥ能力情報の識別を容易にするために、該識別基準は、受信されたＵＥ能力情報中の何処にＵＥ能力情報の特定の断片置かれているかを解析すること、ＵＥ能力情報の特定の断片に関連付けられるタグ情報(tag information)を解析することを含むことが出来る、及び／又は、ＵＥ能力情報のそれぞれの断片を識別するために、他の解析が実行されることが出来る。
【００４８】
１つの実施形態に従うと、コア・ネットワーク２０２はＵＥ能力情報を記憶できるデータ記憶装置２０８を含むことが出来て、この場合、必要に応じて、該ＵＥ能力情報はデータ記憶装置２０８に記憶されることが出来て、その結果、（諸）モバイル機器１１６に関連付けられるＵＥ動的能力情報とＵＥ半静的能力情報はそれぞれ記憶され、保持され、及び／又は、管理されることが出来る。一実施形態に従えば、データ記憶装置２０８はＵＥ半静的能力情報を記憶及び保持することが出来る、そして、該装置２０８は受信されたＵＥ動的能力情報を、モバイル機器１１６にとって好ましいＵＥ動的能力を選択することを容易にするのに十分な期間、記憶するのみで、該ＵＥ動的能力が選択器２１０によって選択された後、必要に応じて、該受信されたＵＥ動的能力情報を削除または解放することが出来る。この場合、基地局１０２は該選択されたＵＥ動的能力を、該接続が解放されるまで、記憶することが出来る。オプションで、ＵＥ動的能力情報は基地局１０２に記憶されることが出来て、コア・ネットワーク２０２に供給される必要はなく及び／又はそこで記憶される必要はない。このことはコア・ネットワークの効率を更に改善することに資することが出来る（例えば、データ記憶装置２０８は更に効率的に利用される、コア・ネットワーク２０２へのデータ転送の削減、等々）
別の態様では、データ記憶装置２０８は受信されたＵＥ半静的能力情報と受信されたＵＥ動的能力情報を記憶及び保持することが出来て、モバイル機器１１６にとって好ましいＵＥ動的能力を選択することを容易にする。そして、データ記憶装置２０８は、該接続の期間中、該ＵＥ半静的能力情報と該ＵＥ動的能力情報を保持及び記憶することが出来る。モバイル機器１１６のＵＥ動的能力情報は、接続が解放される時（例えば、モバイル機器１１６がアイドル・モード又は待機モードに入る）、必要に応じて、データ記憶装置２０８から削除または解放されることが出来る。接続が解放される時、ＵＥ半静的能力情報はデータ記憶装置２０８において保持及び記憶され続けることが出来て、これはモバイル機器１１６がスイッチを切られるまで又はその他もはやネットワーク内にはいなくなるまで継続し、この時点で該モバイル機器１１６のＵＥ半静的能力情報は削除または解放される。
【００４９】
一つの態様では、本明細書記載のデータ記憶装置２０８は揮発性メモリ及び／又は非揮発性メモリを具備することが出来る。限定としてではなく例示として、非揮発性メモリは、読み出し専用メモリ（read only memory）（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、フラッシュ・メモリ、及び／又は、非揮発性ランダム・アクセス・メモリ（nonvolatile random access memory）（ＮＶＲＡＭ）を含むことが出来る。揮発性メモリは、外部キャッシュ・メモリとして働くことが出来る、ランダム・アクセス・メモリ（random access memory）（ＲＡＭ）を含むことが出来る。限定としてではなく例示として、ＲＡＭは、例えば、同期（synchronous）ＲＡＭ（ＳＲＡＭ）、ダイナミック（dynamic）ＲＡＭ（ＤＲＡＭ）、同期ＤＲＡＭ（ＳＤＲＡＭ）、ダブル・データ・レート（double data rate）ＳＤＲＡＭ（ＤＤＲ  ＳＤＲＡＭ）、エンハンスト（enhanced）ＳＤＲＡＭ（ＥＳＤＲＡＭ）、シンクリンク（Synchlink）ＤＲＡＭ（ＳＬＤＲＡＭ）、及び、ダイレクト・ラムバス（direct Rambus）ＲＡＭ（ＤＲＲＡＭ）のような、多数の形態で利用可能である。データ記憶装置２０８はこれ等及び任意の他の適切な型のメモリを含むように意図されるが、それ等に限定されない。
【００５０】
更に別の態様では、コア・ネットワーク２０２はモバイル機器１１６に対してＵＥ動的能力を選択することが出来る選択器２１０を具備することが出来る。選択器２１０は、該ネットワーク内におけるモバイル機器１１６による通信に関するＵＥ動的能力を、所定の選択基準に少なくとも部分的に基づいて、モバイル機器１１６のために選択することが出来る。例えば、選択器２１０は、ＵＥ半静的能力情報及び／又はＵＥ動的能力情報、及びモバイル機器１１６に関連して実行されるべき通信の型に関する情報、のような受信されたＵＥ能力情報を評価することが出来る、そして、所定の選択基準に少なくとも部分的に基づいて、好ましいＵＥ動的能力（例えば、ＵＥクラス）を選択することが出来る。必要に応じて、コア・コンポーネント２０２の選択器２１０、又は基地局１０２は、接続の期間中ＵＥ動的能力を選択することが出来る、ということは認識且つ理解されるべきである。
【００５１】
１つの態様では能力管理器２０４はＵＥ半静的能力情報及び／又は選択されたＵＥ動的能力（例えば、ＵＥ動的能力情報）を基地局１０２に転送することを容易にすることが出来る、そして、基地局１０２は該選択されたＵＥ動的能力をモバイル機器１１６に転送することが出来て、該モバイル機器１１６は該選択されたＵＥ動的能力に少なくとも部分的に基づいて通信するように設定されることが出来る、。
【００５２】
モバイル機器１１６（例えば、１１６）に関連付けられる改良された通信を容易にするためにＵＥ能力を管理する一例として、該モバイル機器の基地局１０２とコア・ネットワーク２０２への最初の接続の期間中、コア・ネットワーク２０２は該モバイル機器に関連付けられるＵＥ動的能力とＵＥ半静的能力を受信して記憶することが出来る。該モバイル機器がアイドル・モードに移される場合のように、該接続が解放される時、該モバイル機器に関連付けられるＵＥ動的能力はコア・ネットワーク２０２によって削除または解放されることが出来る、そして、コア・ネットワーク２０２は該モバイル機器に関連付けられるＵＥ半静的能力を引き続き記憶することが出来る。該モバイル機器の基地局１０２とコア・ネットワーク２０２への後続の接続の期間では、通信の型に部分的に依存して、コア・ネットワーク２０２は起動されたサービス（例えば、音声通話、ベスト・エフォート・データ通信）に関してより多くの情報を有する可能性があり、従って、コア・ネットワーク２０２又は基地局１０２が、接続立上げ手続きの後ＵＥ動的能力に関する追加のシグナリングが避けられることが出来るように、特定のＵＥ動的能力（例えば、ＵＥクラス）を選択しシグナリングすることは有用であり得る。例えば、コア・ネットワーク２０２又は基地局１０２は、モバイル機器への着信ページングのような、サービスを起動するための要求を受信することが出来る、そして、コア・ネットワーク２０２は、該起動されるサービスに関連付けられるサービスの型（例えば、通信）とその他の特性（例えば、ＵＬ中心型サービス、ＤＬ中心型サービス、等々）、に関する情報を持つことが出来る。該コア・ネットワーク２０２は過去の接続から該モバイル機器のＵＥ半静的能力を既に保持しているから、コア・ネットワーク２０２はそのようなＵＥ半静的能力にアクセスすることが出来て、該ＵＥ半静的能力を基地局１０２に提供することが出来る。基地局１０２又はコア・ネットワーク２０２は、該モバイル機器からＵＥ能力の追加のシグナリングを必要とすることなく、好ましい（例えば、最適）ＵＥ動的能力を該ＵＥ半静的能力から選択することが出来る。
【００５３】
別の例として、モバイル機器の基地局１０２とコア・ネットワーク２０２への後続の接続期間中、モバイル機器が起動されたサービスに関してより多くの情報を有することがあり得る。例えば、該起動されたサービスは該モバイル機器によって発せられた電話であることが出来て、この場合、該モバイル機器は、該起動されたサービスが、ＤＬ集中型かＵＬ集中型か、ということに関して、基地局１０２又はコア・ネットワーク２０２よりも多くの情報を有することが出来る。基地局１０２とコア・ネットワーク２０２は、例えば、該モバイル機器が汎用ＩＰアクセス・ベアラを利用する場合、そのような情報を持ってない。１つの態様では、モバイル機器は好ましいＵＥ動的能力を基地局１０２に伝送するオプションを有する。例えば、この機能は、モバイル機器がエボルブド・マルチメディア放送およびマルチキャスト・サービス（evolved multimedia broadcast and multicast service）（Ｅ−ＭＢＭＳ）を分離受信可能か否かに一部依存して、使用すべきＵＥ動的能力（例えば、ＵＥクラス）を識別するために該モバイル機器によって使用されることが出来る、その場合、かかる放送受信によりモバイル機器によって利用される処理電力の故に、必要に応じて、モバイル機器は該起動されたサービスに対してはより低いＵＥクラス（例えば、より低いビット・レート容量）を使用できる。更に別の例では、もしモバイル機器によって起動されたサービスがウェブ・ブラウジングである場合、該モバイル機器は、ＤＬ中心のＵＥ動的能力（例えば、ＤＬに対して５５Ｍｂｐｓ及びＵＬに対して５Ｍｂｐｓ）が好ましい（例えば、最適である）、と判断することが出来る、そして、該モバイル機器に関連付けられる接続と通信に対するＵＥ動的能力を選択する際の基地局１０２による検討のために、該好ましいＤＬ中心のＵＥ動的能力を基地局１０２に伝送することが出来る。別の態様に従えば、コア・ネットワーク２０２はこのようなＵＥ半静的能力をデータ記憶装置２０８に記憶させておくので、モバイル機器のＵＥ半静的能力は基地局１０２とコア・ネットワーク２０２に再度送信される必要はない。基地局１０２又はコア・ネットワーク２０２は、該受信されたＵＥ動的能力、並びに、もしあるならば、その他の情報（例えば、ＵＥ半静的能力、通信の型、該通信がＵＬ集中型かＤＬ集中型か、等々）を解析することが出来る、そして、所定の選択基準に少なくとも部分的に基づいて、該起動されたサービス（例えば、通信）期間中該モバイル機器によって利用されるべき好ましい（例えば、最適な）ＵＥ動的能力を選択することが出来る。
【００５４】
本発明は、従来の通信システム、方法、及び装置と比較して、無線通信環境におけるモバイル機器の基地局とコア・ネットワークへの接続に関する改良された効率、及び、かかる環境におけるモバイル機器に関連付けられる改良された通信、を提供することが出来る。例えば、従来、ネットワークは、ＵＥ動的能力とＵＥ半静的能力を区別しない、そして、モバイル機器がアイドル・モードにある時、モバイル機器のＵＥ半静的能力を記憶保持しない。本発明はモバイル機器に関連付けられるＵＥ動的能力とＵＥ半静的能力を識別し個別に制御することが出来る、そして、モバイル機器のＵＥ半静的能力の記憶を、該モバイル機器がアイドル・モードに移行する場合のように、モバイル機器に関連付けられる接続が解放された後も、維持することが出来る。これは改良された効率をもたらすことが出来る、その理由は、例えば、該モバイル機器がアクティブ・モードに移って該モバイル機器の基地局とコア・ネットワークへの接続が立ち上げられる時のように、該モバイル機器に関連付けられる後続の接続の期間中、（例えば、該モバイル機器のＵＥ能力に関連する）シグナリング量の低減とかかる接続を立ち上げるための時間の低減を可能にするからである。
【００５５】
図３を参照すると、無線通信環境におけるモバイル機器に関連付けられる通信を容易にすることが出来る、システム３００が図示される。システム３００は、モバイル機器１１６のような、１又は複数のモバイル機器と通信することが出来る基地局１０２を含むことが出来る。図３では簡明を期するため唯１つのモバイル機器が描かれていることが認識且つ理解されるべきである。又、基地局１０２は別の（諸）基地局、及び／又は、例えば、認証、認可等々のような諸機能を実行することが出来る、（図示されてない）任意の異種装置（例えば、サーバ）、と通信することが出来る。別の態様では、基地局１０２は、無線通信環境においてモバイル機器１１６に関する通信を支援することが出来る、コア・ネットワーク２０２と通信的に接続（例えば、無線で接続）されることが出来る。基地局１０２、モバイル機器１１６そしてコア・ネットワーク２０２はそれぞれ、例えば、システム１００及び／又はシステム２００に関して本明細書で更に十分に説明されたような、それぞれ対応するコンポーネントとそれぞれ同様又は類似のものであることが出来る、及び／又は、該それぞれ対応するコンポーネントとそれぞれ同様又は類似の機能性を具備することが出来る。
【００５６】
モバイル機器１１６は基地局１０２に通信的に接続（例えば、無線で接続）されることが出来る。この場合、該接続は、例えば、データ・チャネルと制御チャネルを含むことが出来る。１つの態様では、モバイル機器１１６はモバイル機器１１６の、ＵＥ動的能力とＵＥ半静的能力を含む、ＵＥ能力情報を基地局１０２に伝送することが出来て、該ＵＥ能力情報は基地局１０２によって記憶されることが出来る。基地局１０２はコア・ネットワーク２０２に通信的に接続されることが出来て、基地局１０２は該ＵＥ能力情報をコア・ネットワーク２０２に転送することが出来る。
【００５７】
１つの態様では、モバイル機器１１６は能力通信機３０２を含むことが出来る。該能力通信機３０２は、ＵＥ半静的能力情報及び／又はＵＥ動的能力情報のような、モバイル機器１１６に対するＵＥ能力情報を基地局１０２に通信することが出来て、該モバイル機器の基地局１０２とコア・ネットワーク２０２への特定の接続期間中、及び／又は、モバイル機器１１６に関連付けられる通信期間中、使用されるべきＵＥ動的能力（例えば、ＵＥクラス）を決定及び／又は選択することを容易にする。例えば、最初の接続立上げの期間に、能力通信機３０２はＵＥ半静的能力情報とＵＥ動的能力情報を基地局１０２に伝送することが出来る。例えば、最初の接続が解放されてモバイル機器１１６がアイドル・モードにある場合のような、後続の接続期間、基地局１０２及び／又はコア・ネットワーク２０２は、それぞれそれ等の中に、該モバイル機器１１６のＵＥ半静的能力情報を既に記憶しておくことが可能である。かかる場合、もしモバイル機器１１６によって通信が始められると、能力通信機３０２はオプションでＵＥ動的能力情報を選択して基地局１０２に伝送することが出来る。例えば、モバイル機器１１６によって始められる接続または通信に対して、モバイル機器１１６は実行されるべき通信の型（例えば、通話、メッセージ通信、…）に関する情報を有することが出来る、及び／又は、該通信がＵＬ中心型か又はＤＬ中心型かに関する情報を有することが出来る。能力通信機３０２は、通信の型及び／又は該通信がＵＬ中心型か又はＤＬ中心型かのような、所定の選択基準に少なくとも部分艇に基づいて、モバイル機器１１６の好ましい（例えば、優先される）ＵＥ動的能力を選択して伝送することが出来る。モバイル機器１１６は、基地局１０２に該好ましいＵＥ動的能力を提示（例えば、伝送）して、該モバイル機器１１６に関連付けられる接続立上げと通信を容易にすることが出来る。基地局１０２は該モバイル機器１１６から受信されたＵＥ動的能力情報をコア・ネットワーク２０２に転送することが出来る。
【００５８】
別の態様では、モバイル機器１１６は、モバイル機器１１６と該無線通信環境における通信に関する、ＵＥ能力情報のような、情報を記憶することが出来るデータ記憶装置３０４を具備することが出来る。基地局１０２との接続を確立する場合、モバイル機器１１６は該データ記憶装置３０４からＵＥ能力情報（例えば、ＵＥ動的能力情報、ＵＥ半静的能力情報）を検索することが出来る、そして、該ＵＥ能力情報を基地局１０２に提供して該ネットワークにおけるモバイル機器１１６による接続及び／又は通信を容易にすることが出来る。
【００５９】
一態様によれば、本明細書記載のデータ記憶装置３０４は揮発性メモリ及び／又は非揮発性メモリを具備することが出来る。限定としてではなく例示として、非揮発性メモリは、読み出し専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、フラッシュ・メモリ、及び／又は、非揮発性ランダム・アクセス・メモリ（ＮＶＲＡＭ）を含むことが出来る。揮発性メモリは、外部キャッシュ・メモリとして働くことが出来る、ランダム・アクセス・メモリ（ＲＡＭ）を含むことが出来る。限定としてではなく例示として、ＲＡＭは、例えば、同期ＲＡＭ（ＳＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及び、ダイレクト・ラムバスＲＡＭ（ＤＲＲＡＭ）のような、多数の形態で利用可能である。データ記憶装置３０４はこれ等及び任意の他の適切な型のメモリを含むように意図されるが、それ等に限定されない。
【００６０】
さて図４を参照すると、無線通信環境内におけるモバイル機器に関連付けられる通信を容易にすることが出来る、システム４００が例示される。システム４００は、モバイル機器１１６のような、１又は複数のモバイル機器と通信することが出来る基地局１０２を含む。図４では簡明を期するため唯１つのモバイル機器が描かれていることが認識且つ理解されるべきである。又、基地局１０２は別の（諸）基地局、及び／又は、例えば、認証、認可等々のような諸機能を実行することが出来る、（図示されてない）任意の異種装置（例えば、サーバ）、と通信することが出来る。システム４００は又、モバイル機器１１６に関する通信を支援するために基地局１０２と通信的に接続（例えば、無線で接続）されることが出来る、コア・ネットワーク２０２を含むことが出来る。基地局１０２、モバイル機器１１６そしてコア・ネットワーク２０２はそれぞれ、例えば、システム１００、システム２００及び／又はシステム３００に関して本明細書で更に十分に説明されたような、それぞれ対応するコンポーネントとそれぞれ同様又は類似のものであることが出来る、及び／又は、該それぞれ対応するコンポーネントとそれぞれ同様又は類似の機能性を具備することが出来る。
【００６１】
１つの態様では、基地局１０２は、モバイル機器１１６に関連付けられる接続及び／又は通信の期間中モバイル機器によって利用されるべきＵＥ動的能力を選択することが出来る、選択器４０２を含むことが出来る。例えば、選択器４０２は、モバイル機器１１６及び／又はコア・ネットワーク２０２から受信されることが出来る、モバイル機器１１６のＵＥ能力情報のような、情報を評価及び／又は比較することを容易にすることが出来る。受信されたＵＥ動的能力情報に少なくとも部分的に基づいて、選択器４０２は、モバイル機器１１６に関連付けられる接続及び／又は通信の期間中、モバイル機器１１６によって利用されるべきＵＥ動的能力を選択することが出来る。該選択されたＵＥ動的能力情報はモバイル機器１１６に転送されることが出来て、該モバイル機器１１６は該選択されたＵＥ動的能力情報を利用して、該接続及び／又は通信の期間中、好ましいＵＥ動的能力を選択し且つ利用することを容易にすることが出来る。
【００６２】
例えば、モバイル機器１１６は自身のＵＥ能力を基地局１０２に提供することが出来て、該基地局１０２は該ＵＥ能力をコア・ネットワーク２０２に提供することが出来る。接続が立ち上げられると、コア・ネットワーク２０２はＵＥ半静的能力情報（例えば、該モバイル機器１１６に関連付けられる利用可能なＵＥクラスのセット）を基地局に転送することが出来る、そして、選択器４０２は、所定の選択基準に少なくとも部分的に基づいて、該ＵＥ半静的能力から好ましいＵＥ動的能力（例えば、優先されるＵＥクラス）を選択することが出来る。基地局１０２は該選択されたＵＥ動的能力をモバイル機器１１６に転送することが出来て、該モバイル機器１１６は該選択されたＵＥ動的能力を利用して通信するように設定されることが出来る。
【００６３】
一態様によれば、基地局１０２は又、該無線通信環境における通信に関する、モバイル機器１１６に関連付けられるＵＥ能力情報を含む、情報を記憶することが出来るデータ記憶装置４０４を含むことが出来る。データ記憶装置４０４は揮発性メモリ及び／又は非揮発性メモリを具備することが出来る。限定としてではなく例示として、非揮発性メモリは、読み出し専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、フラッシュ・メモリ、及び／又は、非揮発性ランダム・アクセス・メモリ（ＮＶＲＡＭ）を含むことが出来る。揮発性メモリは、外部キャッシュ・メモリとして働くことが出来る、ランダム・アクセス・メモリ（ＲＡＭ）を含むことが出来る。限定としてではなく例示として、ＲＡＭは、例えば、同期ＲＡＭ（ＳＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及び、ダイレクト・ラムバスＲＡＭ（ＤＲＲＡＭ）のような、多数の形態で利用可能である。データ記憶装置４０４はこれ等及び任意の他の適切な型のメモリを含むように意図されるが、それ等に限定されない。
【００６４】
別の態様によれば、該モバイル機器１１６との接続が維持される間、該モバイル機器１１６のＵＥ能力情報はデータ記憶装置４０４に記憶されることが出来る。該モバイル機器１１６がアイドル・モード及び／又は待機モードに切り替えられる場合、スイッチ切断される場合、或いは、もはや該ネットワーク内には存在しない場合のように、該モバイル機器１１６との接続が解放される時と場合、該モバイル機器に対するＵＥ能力情報は、必要に応じて、データ記憶装置４０４から削除または解放されることが出来る。
【００６５】
図５は、開示された主題の一態様に従う、無線通信環境におけるモバイル機器に関連付けられる最初の接続立上げ及び接続解放を例示するダイアグラム５００である。ダイアグラム５００は無線通信環境におけるモバイル機器１１６、基地局１０２、及び、コア・ネットワーク２０２を説明する。モバイル機器１１６、基地局１０２そしてコア・ネットワーク２０２はそれぞれ、例えば、システム１００、システム２００、システム３００及び／又はシステム４００に関して本明細書で更に十分に説明されたような、それぞれ対応するコンポーネントとそれぞれ同様又は類似のものであることが出来る、及び／又は、該それぞれ対応するコンポーネントとそれぞれ同様又は類似の機能性を具備することが出来る。
【００６６】
モバイル機器１１６と基地局１０２（とコア・ネットワーク２０２）との間の通信接続を確立するための最初の接続（例えば、アタッチ）立上げの期間中、接続要求がモバイル機器１１６によって、例えば、基地局１０２に送信されることが出来る。接続要求の一部として、又は、必要に応じて、独立したメッセージにおいて、モバイル機器１１６は、ＵＥ半静的能力とＵＥ動的能力を含む、自身のＵＥ能力５０２を基地局１０２に伝送することが出来て、この場合、基地局１０２は該モバイル機器１１６に関連付けられるＵＥ能力５０４を記憶することが出来る。基地局１０２は又該接続要求および関連するＵＥ能力をコア・ネットワーク２０２に転送（例えば、送信）することが出来る、そして、コア・ネットワーク２０２は該モバイル機器１１６に関連付けられるＵＥ能力５０６を記憶することが出来る。モバイル機器１１６から受信されたＵＥ能力情報及び／又はコア・ネットワーク２０２から受信された情報に少なくとも部分的に基づいて、基地局１０２は好ましいＵＥ動的能力を選択することが出来て、該選択されたＵＥ動的能力はモバイル機器１１６に転送されることが出来る、そして、モバイル機器１１６は該選択されたＵＥ動的能力を使用して通信するように設定されることが出来る。
【００６７】
例えば、該接続が完了される及び該モバイル機器１１６がアイドル・モード又は待機モードに切り替えられる場合のように、該接続が最早望まれない場合、モバイル機器１１６の基地局１０２及びコア・ネットワーク２０２との接続は解放されることが出来る。コア・ネットワーク２０２は、５０８に図示されるように、該モバイル機器１１６のＵＥ動的能力を削除または解放することが出来るが、しかし、該モバイル機器１１６のＵＥ半静的能力情報を引き続き記憶することが出来る。該接続が解放されたためにかかる情報を記憶する必要は最早ないので、該モバイル機器１１６のＵＥ動的能力を削除することは、コア・ネットワーク２０２のデータ記憶装置２０８の、該ＵＥ動的能力を記憶するために利用された、部分を利用可能にすることが出来る。ＵＥ半静的能力はモバイル機器１１６の（もしあるとすれば）後続の接続の期間中利用されることが出来るので、モバイル機器１１６の半静的能力を保持することは望ましいといえる。該ＵＥ半静的能力は、モバイル機器１１６の基地局１０２とコア・ネットワーク２０２への後続の接続を確立するために利用されるシグナリング量を低減するのに役立つことが出来る。接続解放の期間中、基地局１０２は、ＵＥ動的能力とＵＥ半静的能力を含む、モバイル機器１１６のＵＥ能力５１０を削除し解放することが出来る。このことは基地局１０２のデータ記憶装置４０４の該当部分をその他の使用のために利用可能にすることが出来る。
【００６８】
図６に転じると、開示された主題の一態様に従う、無線通信環境におけるモバイル機器に関連付けられる後続の接続立上げを図示するダイアグラム６００である。ダイアグラム６００は無線通信環境におけるモバイル機器１１６、基地局１０２、及び、コア・ネットワーク２０２を説明する。モバイル機器１１６、基地局１０２そしてコア・ネットワーク２０２はそれぞれ、例えば、システム１００、システム２００、システム３００及び／又はシステム４００に関して本明細書で更に十分に説明されたような、それぞれ対応するコンポーネントとそれぞれ同様又は類似のものであることが出来る、及び／又は、該それぞれ対応するコンポーネントとそれぞれ同様又は類似の機能性を具備することが出来る。
【００６９】
モバイル機器１１６と基地局１０２（とコア・ネットワーク２０２）との間の通信接続を確立するための後続の接続の期間中、接続要求がモバイル機器１１６によって、例えば、基地局１０２に伝送されることが出来る。例えば、モバイル機器１１６は、受信及び／又は送信を容易にするために、アイドル・モードからアクティブ・モードに切り替えられることが出来る。該モバイル機器１１６の基地局１０２とコア・ネットワーク２０２への過去の接続があったが故に、該コア・ネットワーク２０２は該モバイル機器１１６のＵＥ半静的能力６０２を該コア・ネットワーク２０２のデータ記憶装置２０８に記憶させておくことが可能である。
【００７０】
オプションで、接続要求の一部として、又は、必要に応じて、独立したメッセージにおいて、モバイル機器１１６は自身のＵＥ動的能力６０４を基地局１０２に伝送することが出来て、この場合、基地局１０２はモバイル機器１１６に関連付けられるＵＥ動的能力６０６を記憶することが出来る。例えば、モバイル機器１１６が通信（例えば、ＵＥ起動電話）を始める場合、モバイル機器１１６は通信の型及び／又は、該通信がＵＬ中心型か又はＤＬ中心型かに関する情報を有することが出来る。そして、モバイル機器１１６はオプションで基地局１０２に好ましい（例えば、優先される）ＵＥ動的能力を提示（例えば、伝送）して、該モバイル機器１１６に関連付けられる改良された通信を容易にする最適ＵＥ動的能力の選択を容易にすることが出来る。必要に応じて、基地局１０２は該ＵＥ動的能力６０８をコア・ネットワーク２０２に提供することが出来る。
【００７１】
ＵＥ半静的能力、コア・ネットワーク２０２に記憶された（例えば、ＵＥ半静的能力６０２）、は基地局１０２に供給されることが出来る。その場合、基地局１０２は、６１０で図示されるように、該接続と通信の期間中モバイル機器１１６によって利用されるべき、ＵＥ動的能力を選択することが出来る（或いは、コア・ネットワーク２０２が既に選択を完了していることも可能）。基地局１０２は、モバイル機器１１６に関連付けられる該接続と通信の期間中、モバイル機器１１６は該選択されたＵＥ動的能力を利用すべきである、と云うことを指示することが出来る信号を、モバイル機器１１６に送信することが出来る。
【００７２】
ある複数の例では、例えばコア・ネットワーク２０２が起動されたサービスに関する情報（或いは、モバイル機器１１６より多くの情報）を有する場合、コア・ネットワーク２０２は、所定の選択基準に少なくとも部分的に基づいて、モバイル機器１１６に関連付けられる該記憶されたＵＥ半静的能力から好ましい（例えば、最適な）ＵＥ動的能力選択することが出来る、そして、該接続と通信の期間中利用されるべき好ましいＵＥ動的能力を基地局１０２にシグナリングすることが出来る。そして、基地局１０２は、該接続と通信の期間中利用されるべき該好ましいＵＥ動的能力６１２を、モバイル機器１１６にシグナリングすることが出来る。
【００７３】
図７〜図９を参照すると、モバイル機器のネットワーク（例えば、基地局１０２、コア・ネットワーク２０２）への効率的な接続と該ネットワークにおけるモバイル機器に関係づけられる通信とを容易にするために、諸モバイル機器（例えば、１１６）にそれぞれ関連付けられるＵＥ能力情報（例えば、ＵＥ動的能力、ＵＥ半静的能力）を管理することに関する方法が例示される。簡明を期するため、該方法は一連の動作として示されそして説明されるけれども、該方法は諸動作の順序によって限定されないことは理解且つ認識されるべきである、というのは、１又は複数の実施形態に従えば、ある複数の動作は異なる順序で行われる、及び／又は、本明細書で示されそして説明されるものとは異なる諸動作と同時に行われる、ことが可能だからである。例えば、方法は替りに、状態遷移図におけるように、一連の相互に関連する状態又はイベントとして表わされることが出来ることを、当業者らは理解且つ認識する。更に、１又は複数の実施形態に従う方法を実行するためには、必ずしも全ての例示された動作が要求されるわけではないことがあり得る。
【００７４】
図７を参照すると、無線通信システムにおいてモバイル機器に関連付けられる通信を容易にすることが出来る、方法７００が例示される。７０２では、モバイル機器（例えば、１１６）に関連付けられるＵＥ能力情報の記憶を制御する。１つの態様では、コア・ネットワーク２０２は、モバイル機器の基地局１０２及びコア・ネットワーク２０２への最初の接続の期間中、コア・ネットワーク２０２はモバイル機器に関連付けられる、ＵＥ動的能力およびＵＥ半静的能力のような、ＵＥ能力を受信および記憶することが出来る。別の態様では、該コア・ネットワーク２０２は、受信された情報の諸事項をモバイル機器に関連付けられるＵＥ動的能力またはＵＥ半静的能力として識別または分類して、モバイル機器のＵＥ動的能力およびＵＥ半静的能力の記憶を制御することを容易にする。モバイル機器と基地局１０２とコア・ネットワーク２０２との間の接続がアクティブである間中、コア・ネットワーク２０２は該モバイル機器のＵＥ動的能力およびＵＥ半静的能力の記憶を保持することが出来る。かかる接続が解放される時と場合、これは例えば該モバイル機器がアイドル・モード又は待機モードに移される又は切り替えられる場合に起こり得るが、コア・ネットワーク２０２は該モバイル機器に関連付けられるＵＥ動的能力を削除または解放することが出来る、しかし、該モバイル機器のＵＥ半静的能力を引き続き記憶することが出来る。この場合、該記憶されたＵＥ半静的能力は、必要に応じて、該モバイル機器の後続の接続を確立することを容易にするために利用されることが出来て、該ネットワークでの該モバイル機器に関連付けられる後続の通信を容易にする。
【００７５】
７０４では、モバイル機器に関連付けられるＵＥ動的能力が、所定の選択基準に少なくとも部分的に基づいて、選択されることが出来る。例えば、該モバイル機器に関連付けられるＵＥ動的能力を利用するコア・ネットワーク２０２又は基地局１０２は、該接続と通信の期間中該モバイル機器によって利用されるべき、好ましい（例えば、最適）ＵＥ動的能力を選択することが出来る、この場合、該ＵＥ動的能力は、所定の選択基準に少なくとも部分的に基づいて、選択されることが出来る。該ＵＥ能力は、接続の立上げ中に基地局１０２によって該モバイル機器から受信されたＵＥ動的能力を（もしあるならば）含むことが出来て、この場合、ＵＥ動的能力は最初の接続期間中にモバイル機器によって基地局１０２に提供されることが出来る、或いは、ＵＥ動的能力は、オプションで、モバイル機器の基地局１０２とコア・ネットワーク２０２への後続の接続期間中に、モバイル機器によって基地局１０２に提供されることが出来る。該ＵＥ能力はＵＥ半静的能力を含むことが出来て、ＵＥ半静的能力は最初の接続の間に基地局１０２によってモバイル機器から受信されることが出来る、或いは、該モバイル機器に関連付けられる後続の接続期間中、コア・ネットワーク２０２内のデータ記憶装置２０８から検索されて、コア・ネットワーク２０２によって基地局１０２に提供されることが出来る。基地局１０２又はコア・ネットワーク２０２は好ましいＵＥ動的能力を選択することが出来る。このＵＥ動的能力はモバイル機器によって好ましいと指示されたＵＥ動的能力であることが可能である、或いは、該モバイル機器に関連付けられるＵＥ半静的能力（例えば、利用可能な複数のＵＥクラス）から選択されることが出来る異質のＵＥ動的能力であることが可能である。
【００７６】
図８に転じると、無線通信システムにおいてモバイル機器に関連付けられる通信を容易にするために、モバイル機器のＵＥ能力情報を制御することを容易にすることが出来る、方法８００が例示される。８０２では、接続要求が受信されることが出来る。１つの態様では、モバイル機器（例えば、１１６）に関連付けられる接続要求がコア・ネットワーク（例えば、２０２）によって受信されることが出来る。例えば、モバイル機器は接続要求を基地局（例えば、１０２）に送信することが出来て、該基地局は、該モバイル機器の該基地局とコア・ネットワークへの接続を確立することを容易にするために、該接続要求をコア・ネットワークに転送して、ネットワークにおける該モバイル機器に関連付けられる通信を容易にすることが出来る。８０４では、モバイル機器に関連付けられるＵＥ能力情報が受信されることが出来る。例えば、モバイル機器に関連付けられる、ＵＥ動的能力情報とＵＥ半静的能力情報のような、ＵＥ能力情報が基地局を介してコア・ネットワーク２０２によって受信されることが出来る。８０６では、ＵＥ能力に関する情報についての1又は複数の事項が識別されることが出来る。１つの態様では、コア・ネットワーク２０２は能力識別器（例えば、２０６）を含むことが出来て、該能力識別器は（諸）モバイル機器に関連付けられる受信された情報（例えば、ＵＥ能力情報）を解析することが出来る、そして、該解析に少なくとも部分的に基づいて、情報についてのそれぞれ1又は複数の事項を、所定の識別基準に少なくとも部分的に基づき、それぞれＵＥ半静的能力情報またはＵＥ動的能力情報として、識別及び／又は分類することが出来る。８０８では、識別された情報についての該１又は複数の事項が記憶されることが出来る。例えば、モバイル機器に関連付けられるＵＥ動的能力情報またはＵＥ半静的能力情報としてそれぞれ識別された該１又は複数の事項のそれぞれはコア・ネットワーク２０２で（例えば、データ記憶装置２０８で）記憶されることが出来る。
【００７７】
８１０では、ＵＥ動的能力が所定の選択基準に少なくとも部分的に基づいて選択されることが出来る。例えば、基地局またはコア・ネットワークは接続と通信の期間中該モバイル機器によって利用されるべきＵＥ動的能力を選択することが出来る。８１２では、該選択されたＵＥ動的能力に関する情報が転送されることが出来る。１つの態様では、かかるＵＥ動的能力情報は基地局によってモバイル機器に転送されることが出来る。８１４では、該モバイル機器は該選択されたＵＥ動的能力に少なくとも部分的に基づいて設定されることが出来る。１つの態様では、モバイル機器は該選択されたＵＥ動的能力に関する情報を受信することが出来て、このような情報は、該モバイル機器と基地局との間の接続の確立と通信を容易にするように該モバイル機器を設定することを容易にするために利用されることが出来る。８１６では、データが通信されることが出来る。無線ネットワークにおける該モバイル機器と基地局との間の接続が確立された後、該モバイル機器は該選択されたＵＥ動的能力に従ってデータを受信及び／又は送信することが出来る。
【００７８】
８１８では、該接続が解放されることが出来る。１つの態様では、該データの通信が完了されると、必要に応じて、モバイル機器と基地局との間の接続が解放されることが出来る。例えば、モバイル機器がアイドル・モード又は待機モードに移されることが出来る、このことは該モバイル機器と基地局と（コア・ネットワークと）の間の接続が解放されるという結果をもたらすことが出来る。８２０では、ＵＥ動的能力情報が削除されることが出来る。例えば、コア・ネットワークは、該モバイル機器と基地局と（コア・ネットワークと）の間の接続が解放される時、該モバイル機器に関連付けられるＵＥ動的能力を削除して、コア・ネットワークにおいて追加のメモリを利用可能にすることを容易にすることが出来る。１つの態様では、コア・ネットワークは該モバイル機器に関連付けられるＵＥ半静的能力を引き続き記憶することが出来る。該ＵＥ半静的能力は該モバイル機器と基地局とコア・ネットワークとの間の後続の接続を確立することに関するシグナリングと時間を低減することを容易にするために利用されることが出来る。別の態様では、もしモバイル機器がオフ状態（例えば、電源切断）に変えられる場合、若しくは、コア・ネットワークと基地局との結合が最早ない場合、コア・ネットワークは自身のデータ記憶装置２０８から該モバイル機器のＵＥ半静的能力を削除することが出来る。更に別の態様では、該モバイル機器と基地局との間の接続が解放される場合、該基地局は該モバイル機器に関連付けられるＵＥ動的能力及び／又はＵＥ半静的能力を削除または解放することが出来る。
【００７９】
図９を参照すると、モバイル機器に関連付けられる接続を確立することを容易にして無線通信システムにおける通信を容易にすることが出来る、方法９００が図示される。９０２では、接続要求が受信されることが出来る。例えば、モバイル機器（例えば、１１６）は接続要求を基地局１０２に送信して、該モバイル機器の該基地局およびコア・ネットワーク２０２との接続を確立することを容易にすることが出来る。９０４では、該モバイル機器に関連付けられるＵＥ半静的能力がコア・ネットワーク２０２で記憶されているかどうかに関する判定が行われることが出来る。例えば、コア・ネットワーク２０２は、該モバイル機器のＵＥ半静的能力が自身のデータ記憶装置２０８で記憶されているかどうか、を判定することが出来る。コア・ネットワーク２０２は、例えば、該モバイル機器が過去に基地局１０２とコア・ネットワーク２０２に接続された場合、かかるＵＥ半静的能力を自身のデータ記憶装置２０８内に記憶させておくことが出来る。もし該モバイル機器に関連付けられるＵＥ半静的能力がコア・ネットワーク２０２のデータ記憶装置２０８内に記憶されていれば、９０６では、そのようなＵＥ半静的能力が検索されることが出来る。例えば、コア・ネットワーク２０２は自身のデータ記憶装置２０８から該ＵＥ半静的能力を検索することが出来る、そして、このようなＵＥ半静的能力情報は、該接続と通信の期間中該モバイル機器によって利用されるべき好ましいＵＥ動的能力を選択することを容易にするために利用されることが出来る。この時点で、方法９００は参照番号９１０に進むことが出来る。もし、９０４において、該モバイル機器に関連付けられるＵＥ半静的能力がコア・ネットワーク２０２において記憶されてないことが判定される場合、９０８では、該モバイル機器に関連付けられるＵＥ半静的能力が伝送されることが出来る。例えば、モバイル機器は自身のＵＥ半静的能力を基地局１０２に伝送することが出来て、該基地局１０２は該ＵＥ半静的能力をコア・ネットワーク２０２に転送して該モバイル機器の基地局１０２及びコア・ネットワーク２０２への接続を確立することを容易にすることが出来る。
【００８０】
９１０では、該モバイル機器に関連付けられるＵＥ動的能力が伝送完了されたかどうかに関して判定が行われることが出来る。１つの態様では、モバイル機器はオプションでＵＥ動的能力を基地局に伝送することが出来る。例えば、モバイル機器によって発せられる通信（例えば、電話）において、該モバイル機器は、通信の型及び／又はかかる情報がＤＬ中心的か又はＵＬ中心的かに関する情報を基地局１０２やコア・ネットワーク２０２よりも多く有することが出来る。従って、該モバイル機器は、所定の選択基準に少なくとも部分的に基づいて、該通信にとって好ましい（例えば、最適な）ＵＥ動的能力を選択することが出来て、該ＵＥ動的能力を基地局１０２に伝送することが出来る。９１２では、ＵＥ半静的能力及び／又はＵＥ動的能力を含む、モバイル機器のＵＥ能力が解析されることが出来る。例えば、基地局１０２又はコア・ネットワーク２０２は、モバイル機器に関連付けられる、ＵＥ半静的能力及び／又はＵＥ動的能力のような、ＵＥ能力を解析して、該接続と通信の期間中該モバイル機器によって利用されるべき、好ましい（例えば、最適な）ＵＥ動的能力を選択することを容易にすることが出来る。９１４では、該モバイル機器に関連付けられるＵＥ動的能力が、所定の選択基準に少なくとも部分的に基づいて、選択されることが出来る。１つの態様では、基地局１０２又はコア・ネットワーク２０２が、該接続と通信の期間中該モバイル機器によって利用されるべき、ＵＥ動的能力を選択することが出来る。例えば、基地局１０２は、もし何らかのＵＥ動的能力がモバイル機器によって基地局１０２に提供された場合、該モバイル機器によって提供されたＵＥ動的能力を選択することが出来る、或いは、基地局１０２は、所定の選択基準に少なくとも部分的に基づいて、利用可能なＵＥ動的能力を該モバイル機器のＵＥ半静的能力から選択することが出来る。
【００８１】
９１６では、該選択されたＵＥ動的能力が伝送されることが出来る。１つの態様では、基地局１０２は該モバイル機器によって利用されるべき該選択されたＵＥ動的能力を該モバイル機器に伝送して、ネットワークにおける該モバイル機器による通信を容易にすることが出来る。９１８では、該受信された選択されたＵＥ動的能力に少なくとも部分的に基づいて、該モバイル機器が設定されることが出来る。１つの態様では、モバイル機器は選択されたＵＥ動的能力を基地局１０２から受信することが出来て、該モバイル機器は、該選択されたＵＥ動的能力に少なくとも部分的に基づいて、設定されることが出来る。従って、該モバイル機器は該選択されたＵＥ動的能力に従って通信することが出来る。
【００８２】
本明細書記載の１又は複数の態様に従えば、（諸）モバイル機器（例えば、１１６）にそれぞれ関連付けられるＵＥ能力情報（例えば、ＵＥ動的能力、ＵＥ半静的能力）を管理することに関する推論が行われることが出来て、該（諸）モバイル機器のネットワーク（例えば、基地局１０２、コア・ネットワーク２０２）への効率的接続および該ネットワークにおける該（諸）モバイル機器に関連付けられる通信を容易にする。本明細書で使用されるように、用語“推論”又は“推論する”は一般に、システム、環境、及び／又は、利用者の状態を、諸イベント及び／又はデータを介して獲得されるような観測の集合から、考察または推論するプロセスのことを指す。推論は特定の文脈または動作を識別するために用いられることが出来る、或いは、例えば諸状態に関する確率分布を生成することが出来る。推論は確率的であり得る−即ち、データと諸イベントの考察に基づく、関心ある諸状態に関する確率分布の計算であり得る。推論は又、諸イベント及び／又はデータの集合からより高度な水準のイベントを構成するために用いられる技術を指すこともあり得る。かかる推論は、観測される諸イベント及び／又は記憶されたイベント・データの集合から、該諸イベントが時間的に接近した近接性（close temporal proximity）で相関付けられているか否かに関わらず、且つ該諸イベントおよびデータが１つのイベントおよびデータ情報源に由来するのか又は複数のイベントおよびデータ情報源に由来するのかどうかに関わらず、新しいイベントまたは動作の構成をもたらす。
【００８３】
一例によれば、上記で提示された１又は複数の方法は、ネットワークにおけるモバイル機器に関連付けられる特定の接続及び／又は通信の期間中、モバイル機器によって利用されるべき好ましい（例えば、最適）ＵＥ動的能力を選択することに関連する（諸）推論を行うことを含むことが出来る。更なる説明として、受信された情報の諸事項がモバイル機器に関連付けられるＵＥ動的能力なのかＵＥ半静的能力なのかを判定又は識別することに関係する（諸）推論が行われることが出来て、該推論はモバイル機器に関連付けられるＵＥ動的能力およびＵＥ半静的能力の適切な記憶と管理を容易にすることが出来る。前述の諸例は本質的に例示的であって、行われることが出来る推論の数、または、本明細書記載の種々の実施形態及び／又は方法に関係してかかる推論が行われる方法、を限定するためには意図されない、ということが認識される。
【００８４】
図１０は、開示された主題の一態様に従う、無線通信システムにおけるモバイル機器に関連付けられる通信を容易にすることが出来る、モバイル機器１０００の例示図である。モバイル機器１０００は、例えば、受信アンテナ（図示されない）から信号を受信し、該受信された信号に対して一般的な動作を実行し（例えば、フィルタ処理、増幅、ダウンコンバート（downconverts）する、等々）、そして、サンプルを得るために該調整された信号をデジタル化する、受信機１００２を具備する。受信機１００２は、例えば、ＭＭＳＥ受信機であることが出来る、そして、受信された諸信号を復調してそれ等をチャネル推定のためにプロセッサ１００６に供給することが出来る復調器１００４を具備することが出来る。プロセッサ１００６は、受信機１００２によって受信された情報を解析するための及び／又は送信機１００８による送信のための情報を生成するための専用プロセッサ、モバイル機器１０００の１又は複数のコンポーネントを制御するプロセッサ、及び／又は、受信機１００２によって受信された情報を解析し、送信機１００８による送信のための情報を生成し、且つ、モバイル機器１０００の１又は複数のコンポーネントを制御する、プロセッサであることが出来る。モバイル機器１０００は又送信機１００８に関連して動作し信号（例えば、データ）を、例えば、基地局１０２、別のモバイル機器、等々に送信することを容易にすることが出来る、変調器１０１０を具備することが出来る。
【００８５】
プロセッサ１００６は能力通信機３０２に接続されることが出来る。該能力通信機３０２は、モバイル機器１１６に関連付けられる好ましい（例えば、優先される）ＵＥ動的能力を含む、モバイル機器１１６のＵＥ能力を、例えば、通信の型及び／又は該通信がＵＬ中心型か又はＤＬ中心型か、と云うような、所定の選択基準に少なくとも部分的に基づいて、選択して送信することを容易にすることが出来る。能力通信機３０２は、例えば、システム３００に関して本明細書で更に十分に説明されたような、それぞれ対応するコンポーネントと同様又は類似のものであることが出来る、或いは、該それぞれ対応するコンポーネントと同様又は類似の機能性を具備することが出来る、と云う事は認識され且つ理解されるべきである。更に、能力通信機３０２は、（図示されたように）スタンド・アローン・ユニットであることが出来る、プロセッサ１００６の内部に含まれることが出来る、別のコンポーネントの内部に組み込まれることが出来る、及び／又は、必要に応じて、それ等の事実上任意の適切な組合せであることが出来ることは、認識され且つ理解されるべきである。
【００８６】
モバイル機器１０００はデータ記憶装置３０４を更に具備することが出来て、該データ記憶装置３０４はプロセッサ１００６及び／又は能力通信機３０２に機能的に結合されることが出来て、送信されるべきデータ、受信されるデータ、ＵＥ能力（例えば、ＵＥ動的能力）を選択すること及び／又は通信することに関する情報、及びモバイル機器１１６に関連付けられるデータの通信を容易にすることが出来る任意のその他適切な情報、を記憶することが出来る。データ記憶装置３０４は、更に、モバイル機器１１６に関するＵＥ能力（例えば、ＵＥ動的能力）を選択すること及び／又は通信することに関連付けられるプロトコル及び／又はアルゴリズムを記憶することが出来る。データ記憶装置３０４は、例えば、システム３００に関して本明細書で更に十分に説明されたような、それぞれ対応するコンポーネントと同様又は類似のものであることが出来る、或いは、該それぞれ対応するコンポーネントと同様又は類似の機能性を具備することが出来る、と云う事は認識され且つ理解されるべきである。
【００８７】
図１１は、開示された主題の一態様に従って無線通信システムにおけるモバイル機器に関連付けられる通信を容易にすることが出来る、システム１１００の例示図である。システム１１００は、１又は複数のモバイル機器１１６から複数の受信アンテナ１１０４を介して信号を受信することが出来る受信機１１０２と、送信アンテナ１１０８を介して１又は複数のモバイル機器１１６へ信号（例えば、データ）を送信することが出来る送信機１１０６、を備える基地局１０２（例えば、接続点、…）を具備することが出来る。受信機１１０２は受信アンテナ１１０４から情報を受信することが出来て、受信された情報を復調することが出来る復調器１１１０と機能的に結合されることが出来る。復調されたシンボルはプロセッサ１１１２によって解析されることが出来て、該プロセッサ１１１２は、受信機１１０２によって受信された情報を解析するための及び／又は送信機１１０６による送信のための情報を生成するための専用プロセッサ、基地局１０２の１又は複数のコンポーネントを制御するプロセッサ、及び／又は、受信機１１０２によって受信された情報を解析し、送信機１１０６による送信のための情報を生成し、且つ、基地局１０２の１又は複数のコンポーネントを制御する、プロセッサであることが出来る。基地局１０２は又、送信機１１０６と共に動作して信号（例えば、データ）を、例えば、モバイル機器１１６、他の機器、等々に送信することを容易にすることが出来る、変調器１１１４を具備することが出来る。
【００８８】
プロセッサ１１１２は、モバイル機器１１６に関連付けられる接続及び／又は通信の期間中、モバイル機器１１６によって利用されるべきＵＥ動的能力を選択することが出来る選択器４０２と接続されることが出来る。選択器４０２は、例えば、システム４００に関して本明細書で更に十分に説明されたような、それぞれ対応するコンポーネントと同様又は類似のものであることが出来る、及び／又は、該それぞれ対応するコンポーネントと同様又は類似の機能性を具備することが出来る、と云う事は認識され且つ理解されるべきである。更に、選択器４０２は、（図示されたように）スタンド・アローン・ユニットであることが出来る、プロセッサ１１１２の内部に含まれることが出来る、別のコンポーネントの内部に組み込まれることが出来る、及び／又は、必要に応じて、それ等の事実上任意の適切な組合せであることが出来る、と云うことは、認識され且つ理解されるべきである。
【００８９】
プロセッサ１１１２はデータ記憶装置４０４に結合されることが出来て、該データ記憶装置４０４は、送信されるべきデータに関する情報、受信されたデータ、モバイル機器１１６に関連付けられるＵＥ能力（例えば、ＵＥ動的能力）を選択することに関する情報、およびモバイル機器のネットワーク（例えば、基地局およびコア・ネットワーク）への接続期間中モバイル機器（例えば、１１６）に関連付けられるＵＥ動的能力を選択することを容易にすることが出来る任意のその他適切な情報、を記憶することが出来る。データ記憶装置４０４は、更に、モバイル機器１１６に関連付けられるＵＥ能力を選択することに関連付けられる且つ該選択することを容易にするプロトコル及び／又はアルゴリズムを記憶することが出来る。データ記憶装置４０４は、例えば、システム４００に関して本明細書で更に十分に説明されたような、それぞれ対応するコンポーネントと同様又は類似のものであることが出来る、及び／又は、該それぞれ対応するコンポーネントと同様又は類似の機能性を具備することが出来る、と云う事は認識され且つ理解されるべきである。
【００９０】
図１２は一例示無線ネットワーク・システム１２００を示す。無線ネットワーク・システム１２００は、簡明を期するため、１つの基地局１２１０と１つのモバイル機器１２５０を図示する。しかしながら、システム１２００は１を超える基地局及び／又は１を超えるモバイル機器を含むことが出来ることは認識されるべきである、ここで、追加の基地局及び／又はモバイル機器は実質的に同様であり得るし、或いは、下記で説明される例示の基地局１２１０とモバイル機器１２５０とは異なることも可能である。更に、基地局１２１０及び／又はモバイル機器１２５０は、それ等の間の無線通信を容易にするために、本明細書で説明されたシステム（図１〜４、及び図１０〜１１）及び／又は方法（図７〜９）を利用することが出来る、と云うことが認識されるべきである。基地局１２１０とモバイル機器１２５０はそれぞれ、例えば、システム１００、システム２００、システム３００、システム４００、システム１０００及び／又はシステム１１００に関して本明細書で更に十分に説明されたような、それぞれ対応するコンポーネントとそれぞれ同様又は類似のものであることが出来る、及び／又は、該それぞれ対応するコンポーネントとそれぞれ同様又は類似の機能性を具備することが出来る、と云うことは認識されるべきである。
【００９１】
基地局１２１０では、多数のデータ・ストリームに対するトラフィック・データがデータ情報源１２１２から送信（ＴＸ）データ・プロセッサ１２１４に供給される。一例によれば、各データはそれぞれのアンテナを介して送信されることが出来る。ＴＸデータ・プロセッサ１２１４はトラフィック・データ・ストリームを、該データに対して選択された特定の符号化方式に基づいて、フォーマットし、符号化し、そしてインターリーブをして符号化データを供給する。
【００９２】
それぞれのデータ・ストリームに対する符号化データは直交周波数分割多重（ＯＦＤＭ）技術を用いてパイロット・データと多重化されることが出来る。更に、又は、それに代わって、パイロット・シンボルは周波数分割多重化（ＦＤＭ）、時分割多重化（ＴＤＭ）、又は符号分割多重化（ＣＤＭ）されることが出来る。該パイロット・データは既知の方法で処理される一般的には既知のデータ・パターンであって、チャネル応答を推定するためにモバイル機器１２５０で使用されることが出来る。それぞれのデータ・ストリームに対する多重化されたパイロット・データと符号化データは、変調シンボルを供給するために、該データ・ストリームに対して選択された特定の変調方式（例えば、２相位相偏移変調（binary phase-shift keying）（ＢＰＳＫ）、４相位相偏移変調（quadrature phase-shift keying）（ＱＰＳＫ）、Ｍ相位相偏移変調（M-phase-shift keying）（Ｍ−ＰＳＫ）、Ｍ値直交振幅変調（M-quadrature amplitude modulation）（Ｍ−ＱＡＭ）、等々）に基づいて変調される（例えば、シンボル・マッピングされる）ことが出来る。それぞれのデータ・ストリームに対するデータ転送速度、符号化、及び変調はプロセッサ１２３０によって実行される又は供給される命令によって決定されることが出来る。
【００９３】
データ・ストリームに対する変調シンボルはＴＸ  ＭＩＭＯプロセッサ１２２０に供給されることが出来て、該プロセッサ１２２０は（例えば、ＯＦＤＭのために）該変調シンボルを更に処理することが出来る。次に、ＴＸ  ＭＩＭＯプロセッサ１２２０はＮＴ個の変調シンボル・ストリームをＮＴ個の送信機（ＴＭＴＲ）（１２２２ａ〜１２２２ｔ）に供給する。種々の実施形態では、ＴＸ  ＭＩＭＯプロセッサ１２２０は、データ・ストリームのシンボルと該シンボルが送信されているアンテナに対して、ビームフォーミング重みを適用する。
【００９４】
各送信機１２２２はそれぞれのシンボル・ストリームを受信および処理して１又は複数のアナログ信号を供給する、そして、該アナログ信号を更に調整して（例えば、増幅、フィルタ処理、及びアップコンバートして）ＭＩＭＯチャネルを介する伝送にとって好適な変調信号を供給する。更に、送信機１２２２ａ〜１２２２ｔからのＮＴ個の変調信号はそれぞれ対応するＮＴ個のアンテナ１２２４ａ〜１２２４ｔから送信される。
【００９５】
モバイル機器１２５０では、該送信された変調信号がＮＲ個のアンテナ１２５２ａ〜１２５２ｒによって受信されて、それぞれのアンテナ１２５２から受信された信号はそれぞれ対応する受信機（ＲＣＶＲ）１２５４ａ〜１２５４ｒに供給される。各受信機１２５４はそれぞれの信号を調整（例えば、フィルタ処理、増幅、及びダウンコンバート）し、該調整された信号をデジタル化してサンプルを供給し、そして更に該サンプルを処理して対応する“受信された”シンボル・ストリームを供給する。
【００９６】
ＲＸデータ・プロセッサ１２６０はＮＲ個の受信機１２５４からのＮＲ個の受信シンボル・ストリームを受信しそして、特定の受信機処理技術に基づいて、処理してＮＴ個の“検出された”シンボル・ストリームを供給することが出来る。ＲＸデータ・プロセッサ１２６０はそれぞれの検出されたシンボル・ストリームを復調、逆インターリーブ、及び復号して、該データ・ストリームに対するトラフィック・データを復元する。ＲＸデータ・プロセッサ１２６０による処理は、基地局１２１０においてＴＸ  ＭＩＭＯプロセッサ１２２０とＴＸデータ・プロセッサによって実行される処理に相補的である。
【００９７】
プロセッサ１２７０は何れのプリコーディング・マトリクスを使用すべきかを周期的に決定することが出来る（下記に詳説）。更に、プロセッサ１２７０はマトリクス・インデックス部分とランク値部分を具備する逆方向リンク・メッセージを定式化することが出来る。
【００９８】
逆方向リンク・メッセージは通信回線及び／又は受信されたデータ・ストリームに関する種々の型の情報を含むことが出来る。逆方向リンク・メッセージは、ＴＸデータ・プロセッサ１２３８、該プロセッサは又データ情報源１２３６から多数のデータ・ストリームに対するトラフィック・データを受信する、によって処理され、変調器１２８０によって変調され、送信機１２５４ａ〜１２５４ｒによって調整され、そして、基地局１２１０に返信されることが出来る。
【００９９】
基地局１２１０では、モバイル機器１２５０からの変調された信号はアンテナ１２２４によって受信され、受信機１２２２によって調整され、復調器１２４０によって復調され、そして、ＲＸデータ・プロセッサ１２４２によって処理されて、モバイル機器１２５０によって送信された逆方向リンクメッセージを抽出する。更に、プロセッサ１２３０は該抽出されたメッセージを処理することが出来、そして、ビームフォーミング重みを決定するために何れのプレコーディング・マトリクスを使用するべきか、を決定することが出来る。
【０１００】
プロセッサ１２３０と１２７０は、それぞれ、基地局１２１０とモバイル機器１２５０における作用を命令（例えば、制御、調整、管理、等々）することが出来る。それぞれのプロセッサ１２３０と１２７０は、プログラム・コードとデータを記憶する、メモリ１２３２と１２７２と結合されることが出来る。プロセッサ１２３０と１２７０は又それぞれ上り回線および下り回線に対する周波数応答評価とインパルス応答評価を導出するための計算を実行することも出来る。
【０１０１】
一態様では、論理チャネルは制御チャネルと情報チャネルに分類される。論理制御チャネルは、システム制御情報を報知するためのＤＬチャネルであるブロードキャスト制御チャネル（ＢＣＣＨ）を含む。ページング情報を伝送するＤＬチャネルであるページング制御チャネル（ＰＣＣＨ）。マルチメディア放送およびマルチキャスト・サービス（ＭＢＭＳ）スケジューリングと１又は複数のＭＴＣＨに対する制御情報を送信するために使用される１対多方向ＤＬチャネルであるマルチキャスト制御チャネル（ＭＣＣＨ）。一般に、ＲＲＣ接続確立後、このチャネルはＭＢＭＳ（注：旧ＭＣＣＨ＋ＭＳＣＨ）を受信する諸ＵＥによってのみ使用されることが出来る。個別制御チャネル（ＤＣＣＨ）は個別制御情報を伝送する１対１（Point-to-point）双方向チャネルであって、ＲＲＣ接続を有する諸ＵＥによって使用される。一態様では、論理通信チャネル（Logical Traffic Channel）は、利用者情報の伝送のための１対１双方向チャネルであって、１つのＵＥ専用である、個別通信チャネル（ＤＴＣＨ）を含み、又、トラフィック・データを伝送するための１対多方向ＤＬチャネルに対するマルチキャスト通信チャネル（ＭＴＣＨ）を含む。
【０１０２】
一態様では、通信チャネルはＤＬとＵＬに分類される。ＤＬ通信チャネルは報知チャネル（ＢＣＨ）、下り回線共有データ・チャネル（Downlink Shared Data Channel）（ＤＬ−ＳＤＣＨ）とページング・チャネル（ＰＣＨ）、ＵＥ電力節約（ＤＲＸサイクルはネットワークによってＵＥに指示される）のサポートのためのＰＣＨを含み、これ等はセル全体に放送されそして他の制御／トラッフィック・チャネルのために使用されることが出来るＰＨＹリソースにマッピングされる。ＵＬトランスポート（Transport）チャネルは、ランダム・アクセス（Random Access）チャネル（ＲＡＣＨ）、要求チャネル（ＲＥＱＣＨ）、上り回線共有データ・チャネル（ＵＬ−ＳＤＣＨ）及び複数のＰＨＹチャネル、を具備する。ＰＨＹチャネルはＤＬチャネルとＵＬチャネルのセットを含む。
【０１０３】
ＤＬ  ＰＨＹチャネルは以下を含むことが出来る：共通パイロット・チャネル（Common Pilot Channel）（ＣＰＩＣＨ）、同期チャネル（Synchronization Channel）（ＳＣＨ）、共通制御チャネル（Common Control Channel）（ＣＣＣＨ）、共有ＤＬ制御チャネル（Shared DL Control Channel）（ＳＤＣＣＨ）、マルチキャスト制御チャネル（Multicast Control Channel）（ＭＣＣＨ）、共有ＵＬ割当てチャネル（Shared UL Assignment Channel）（ＳＵＡＣＨ）、確認応答チャネル（Acknowledgement Channel）（ＡＣＫＣＨ）、ＤＬ物理共有データ・チャネル（DL Physical Shared Data Channel）（ＤＬ−ＰＳＤＣＨ）、ＵＬ電力制御チャネル（UL Power Control Channel）（ＵＰＣＣＨ）、ページング・インジケータ・チャネル（Paging Indicator Channel）（ＰＩＣＨ）、負荷インジケータ・チャネル（Load Indicator Channel）（ＬＩＣＨ）。
【０１０４】
ＵＬ  ＰＨＹチャネルは以下を含むことが出来る：物理ランダム・アクセス・チャネル（Physical Random Access Channel）（ＰＲＡＣＨ）、チャネル品質インジケータ・チャネル（Channel Quality Indicator Channel）（ＣＱＩＣＨ）、確認応答チャネル（Acknowledgement Channel）（ＡＣＫＣＨ）、アンテナ・サブセット・インジケータ・チャネル（Antenna Subset Indicator Channel）（ＡＳＩＣＨ）、共有要求チャネル（Shared Request Channel）（ＳＲＥＱＣＨ）、ＵＬ物理共有データ・チャネル（UL Physical Shared Data Channel）（ＵＬ−ＰＳＤＣＨ）、報知パイロットチャネル（Broadband Pilot Channel）（ＢＰＩＣＨ）。
【０１０５】
一態様では、単一搬送波波形の低ＰＡＲ品質を保持（任意の与えられた時点で、チャネルは周波数において連続的または均一間隔である）するチャネル構造が提供される。
【０１０６】
本明細書で説明された諸実施形態はハードウェア、ソフトウェア、ファームウェア、ミドルウェア、マイクロコード、或いはこれらの任意の組合せにおいて実装されることが出来る、と云うことが理解されるべきである。ハードウェア実装に関しては、複数の処理ユニットが、１又は複数の特定用途向け集積回路（application specific integrated circuit）（ＡＳＩＣ）、デジタル信号プロセッサ（ＤＳＰ）、デジタル信号処理装置（digital signal processing devices）（ＤＳＰＤ）、プログラマブル・ロジック装置（programmable logic devices）（ＰＬＤ）、フィールド・プログラマブル・ゲート・アレイ（field programmable gate arrays）（ＦＰＧＡ）、プロセッサ、制御器、マイクロ制御器、マイクロプロセッサ、本明細書中で説明された諸機能を実行するように設計された他の電子ユニット、又はそれ等の組合せ、の内部で実装されることが可能である。
【０１０７】
諸実施形態がソフトウェア、ファームウェア、ミドルウェア又はマイクロコード、プログラム・コード又はコード・セグメント中に実装される場合、該諸実施形態は記憶コンポーネントのような、機械可読媒体中に記憶されることが出来る。コード・セグメントは、プロシージャ、関数、サブプログラム、プログラム、ルーチン、サブルーチン、モジュール、ソフトウェア・パッケージ、クラス、或いは、命令、データ構造、又はプログラム文の任意の組合せ、を表すことが出来る。コード・セグメントは、情報、データ、引数、パラメータ、又はメモリ内容を渡す及び／又は受信することによって、別のコード・セグメント又はハードウェア回路に結合されることが出来る。情報、引数、パラメータ、データ等々は、メモリ・シェアリング（memory sharing）、メッセージ・パッシング、トークン・パッシング、ネットワーク伝送、等々を含む任意の適切な手段を利用して、渡され、転送され、又は伝送されることが出来る。
【０１０８】
ソフトウェア実装に対しては、本明細書記載の諸技術は本明細書記載の諸機能を実行するモジュール（例えば、プロシージャ、関数、等々）を用いて実装されることが出来る。ソフトウェア・コードはメモリ・ユニットで記憶されてプロセッサによって実行されることが出来る。メモリ・ユニットはプロセッサの内部またはプロセッサの外部に実装されることが出来て、後者の場合、該ユニットは同業者に公知の種々の手段を介して該プロセッサに通信的に結合されることが出来る。
【０１０９】
図１３を参照すると、無線通信環境におけるモバイル機器に関連付けられる通信を容易にすることが出来る、システム１３００が例示される。例えば、システム１３００はモバイル機器（例えば、１１６）内部に少なくとも部分的に常駐することが出来る。システム１３００が、プロセッサ、ソフトウェア、或いはこれ等の組合せ（例えば、ファームウェア）によって実行される機能を表す機能ブロックであることが出来る、機能ブロックを含むものとして表わされていることは認識されるべきである。システム１３００は、連携して動作することが出来る複数の電気コンポーネントの論理的グルーピング１３０２を含む。
【０１１０】
例えば、論理的グルーピング１３０２は、所定の選択基準に少なくとも部分的に基づいて、ＵＥ能力（例えば、ＵＥ動的能力）を選択するための電気コンポーネント１３０４を含むことが出来る。例えば、ＵＥ能力を選択することは、通信の型（例えば、電話、インスタント・メッセージ、…）及び／又は通信が、例えば、ＵＬ集中型かＤＬ集中型か、を解析することが出来る、そして、所定の選択基準に少なくとも部分的に基づいて、基地局１０２（及びコア・ネットワーク２０２）との接続及び／又はモバイル機器１１６に関連付けられる通信、にとって好ましい（例えば、最適な）ＵＥ動的能力を選択することが出来る。更に、論理的グルーピング１３０２はＵＥ能力を転送するための電気コンポーネント１３０６を具備することが出来る。例えば、モバイル機器１１６に関連付けられる、ＵＥ動的能力及び／又はＵＥ半静的能力のような、ＵＥ能力は、必要に応じて、基地局１０２に伝送されることが出来る。論理的グルーピング１３０２は又、モバイル機器（例えば、１１６）に関連付けられるＵＥ能力に関する情報を記憶するための、電気コンポーネント１３０８を含むことが出来る。更に、システム１３００は電気コンポーネント１３０４、１３０６、及び１３０８に関連付けられる機能を実行するための命令を保持するメモリ１３１０を含むことが出来る。メモリ１３１０の外部にあるように示されているけれども、１又は複数の電気コンポーネント１３０４、１３０６、及び１３０８はメモリ１３１０の内部に存在することが出来る、と云うことは理解されるべきである。
【０１１１】
図１４に転じると、無線通信環境におけるモバイル機器に関連付けられる通信を容易にすることが出来る、システム１４００が例示されている。例えば、システム１４００は、モバイル機器（例えば、１１６）に結合される（例えば、無線で接続される）ことが出来る、基地局１０２内部に少なくとも部分的に常駐することが出来る。システム１４００は、プロセッサ、ソフトウェア、或いはこれ等の組合せ（例えば、ファームウェア）によって実行される機能を表す機能ブロックであることが出来る、機能ブロックを含むものとして表わされていることは認識されるべきである。システム１４００は、連携して動作することが出来る複数の電気コンポーネントの論理的グルーピング１４０２を含む。
【０１１２】
１つの態様では、論理的グルーピング１４０２は、所定の選択基準に少なくとも部分的に基づいて、モバイル機器（例えば、１１６）に関連付けられるＵＥ能力（例えば、ＵＥ動的能力）を選択するための電気コンポーネント１４０４を含むことが出来る。例えば、ＵＥ能力を選択することは、例えば、通信の型（例えば、電話、ページング、インスタント・メッセージ、…）及び／又は、通信がＵＬ集中型かＤＬ集中型か、のような（例えば、モバイル機器との）接続及び／又は通信に関する情報を解析することが出来る、そして、所定の選択基準に少なくとも部分的に基づいて、モバイル機器（例えば、１１６）に関連付けられる接続及び／又は通信にとって好ましい（例えば、最適な）ＵＥ動的能力を選択することが出来る。更に、論理的グルーピング１４０２はＵＥ能力を伝送するための電気コンポーネント１４０６を具備することが出来る。例えば、モバイル機器に関連付けられる、ＵＥ動的能力及び／又はＵＥ半静的能力のような、ＵＥ能力は、該モバイル機器に伝送されて、好ましいＵＥ動的能力を用いて通信するための該モバイル機器の選択と設定を容易にすることが出来る、及び／又は、コア・ネットワーク２０２に伝送されて、該モバイル機器の基地局１０２及びコア・ネットワーク２０２との接続、及び／又は該モバイル機器にとって好ましいＵＥ動的能力の選択、を容易にすることが出来る。論理的グルーピング１４０２は又、モバイル機器（例えば、１１６）に関連付けられるＵＥ能力に関する情報を記憶するための、電気コンポーネント１４０８を含むことが出来る。更に、システム１４００は電気コンポーネント１４０４、１４０６、及び１４０８に関連付けられる機能を実行するための命令を保持するメモリ１４１０を含むことが出来る。メモリ１４１０の外部にあるように示されているけれども、１又は複数の電気コンポーネント１４０４、１４０６、及び１４０８はメモリ１４１０の内部に存在することが出来る、と云うことは理解されるべきである。
【０１１３】
図１５を参照すると、無線通信環境におけるモバイル機器に関連付けられる通信を容易にすることが出来る、システム１５００が例示されている。システム１５００は、例えば、コア・ネットワーク（例えば、２０２）の内部に常駐することが出来る。図示されているように、システム１５００は、プロセッサ、ソフトウェア、或いはこれ等の組合せ（例えば、ファームウェア）によって実行される機能を表す機能ブロックを含む。システム１５００は、連携して動作することが出来る複数の電気コンポーネントの論理的グルーピング１５０２を含む。
【０１１４】
論理的グルーピング１５０２はモバイル機器（例えば、１１６）に関連付けられるＵＥ能力情報を制御するための電気コンポーネント１００４を含むことが出来る。例えば、ＵＥ能力情報（例えば、ＵＥ動的能力、ＵＥ半静的能力）の制御は、（諸）モバイル機器のＵＥ能力の記憶を制御すること、及び／又は、モバイル機器との接続状態に部分的に従ってそれぞれの型のＵＥ能力（例えば、ＵＥ動的能力、ＵＥ半静的能力）の削除と廃棄、に関連することが出来る。例えば、ＵＥ半静的能力情報とＵＥ動的能力情報は該モバイル機器との接続期間中コア・ネットワーク２０２で記憶されることが出来る。もし該モバイル機器がアイドル・モードに移行されると、コア・ネットワーク２０２で記憶された該動的能力情報は削除または廃棄されることが出来る、他方該モバイル機器のＵＥ半静的能力情報は保持されることが出来て（例えば、コア・ネットワーク２０２で引き続き記憶されることが出来る）、従って、該モバイル機器、基地局、及びコア・ネットワーク間の後続の接続期間中、必要に応じて、利用されることが出来る。
【０１１５】
更に、論理的グルーピング１５０２はモバイル機器（例えば、１１６）に関連付けられるＵＥ能力の型を識別するための電気コンポーネント１５０６を具備することが出来る。例えば、ＵＥ能力の型の識別または分類は、受信された情報または該情報のそれぞれの部分が、モバイル機器に関連付けられる、ＵＥ動的能力情報であるか又はＵＥ半静的能力情報であるかを判定することを含むことが出来る。
【０１１６】
更に、論理的グルーピング１５０２は、所定の選択基準に少なくとも部分的に基づいて、モバイル機器（例えば、１１６）に関連付けられるＵＥ能力（例えば、ＵＥ動的能力）を選択するための電気コンポーネント１５０８を含むことが出来る。例えば、ＵＥ能力を選択することは、例えば、通信の型（例えば、電話、ページング、インスタント・メッセージ、…）及び／又は、通信がＵＬ集中型かＤＬ集中型か、のような（例えば、モバイル機器との）接続及び／又は通信に関する情報を解析することが出来る、そして、所定の選択基準に少なくとも部分的に基づいて、モバイル機器（例えば、１１６）に関連付けられる接続及び／又は通信にとって好ましい（例えば、最適な）ＵＥ動的能力を選択することが出来る。その上、論理的グルーピング１５０２は又、モバイル機器（例えば、１１６）に関連付けられるＵＥ能力に関する情報を記憶するための、電気コンポーネント１５１０を含むことが出来る。更に、システム１５００は電気コンポーネント１５０４、１５０６、１５０８、及び１５１０に関連付けられる機能を実行するための命令を保持するメモリ１５１２を含むことが出来る。メモリ１５１２の外部にあるように示されているけれども、１又は複数の電気コンポーネント１５０４、１５０６、１５０８、及び１５１０はメモリ１５１２の内部に存在することが出来る、と云うことは理解されるべきである。
【０１１７】
開示された主題のある複数の態様は単一のモバイル機器（例えば、１１６）に関して説明されてきたけれども、本発明は無線ネットワーク環境において、必要に応じて、１又は複数のモバイル機器に関連付けられる通信を容易にするために利用されることが出来るので、本発明はそのようには限定されない、と云うことは認識及び理解されるべきである。例えば、コア・ネットワーク２０２は、該コア・ネットワーク２０２に関連付けられる１又は複数のモバイル機器にそれぞれにそれぞれ対応して関連付けられる、ＵＥ動的能力情報及び／又はＵＥ半静的能力情報のような、ＵＥ能力情報を管理（例えば、制御）することを容易にすることが出来て、それぞれのモバイル機器のネットワーク（例えば、それぞれ対応する基地局１０２、コア・ネットワーク２０２）への効率的な接続と、該ネットワークに関連付けられるそれぞれのモバイル機器の通信を容易にする。
【０１１８】
上記で説明されたことは１又は複数の実施形態の諸例を含む。前記の諸実施形態を説明するという目的のために、諸コンポーネント或いは諸方法の全ての考えられる組合せを説明することは、無論、不可能である。しかし、当業者は、種々の実施形態の多数の更なる組合せと並べ替えが可能であることを、理解することが出来る。従って、説明された諸実施形態は、添付された請求項の精神と範囲の中に入る、全てのそのような変更、修正、及び、変型を包含すると意図される。更に、用語“含む（include）”が詳細な説明または請求項で使用される限り、そのような用語は、“具備する（comprising）”が請求項において移行語として使用されるときに解釈される場合の、用語“具備する（comprising）”と同様な意味で、含むである、と意図される。
【図１】
2010527538.tif 000003
【図２】
2010527538.tif 000004
【図３】
2010527538.tif 000005
【図４】
2010527538.tif 000006
【図５】
2010527538.tif 000007
【図６】
2010527538.tif 000008
【図７】
2010527538.tif 000009
【図８】
2010527538.tif 000010
【図９】
2010527538.tif 000011
【図１０】
2010527538.tif 000012
【図１１】
2010527538.tif 000013
【図１２】
2010527538.tif 000014
【図１３】
2010527538.tif 000015
【図１４】
2010527538.tif 000016
【図１５】
2010527538.tif 000017
【国際調査報告】
2010527538.tif 000018
2010527538.tif 000019
2010527538.tif 000020
2010527538.tif 000021
2010527538.tif 000022